(57)【要約】      （修正有）【課題】アクセスポイントには同じ識別子を割り当てられ得る。ネットワーク中のアクセス端末が、所与の識別子を有するアクセスポイントから信号が受信されたことをアクセス端末のサービングアクセスポイントに報告するとき、どのアクセスポイント（ハンドオーバターゲット）が参照されているか混同しないように、それらのアクセスポイントを識別するための技法を提供する。【解決手段】同じ識別子を割り当てられたアクセスポイントにメッセージを送信して（３１２）、その識別子をターゲットアクセスポイントから受信したアクセス端末からの信号をそれらのアクセスポイントに監視させることができる（３１６）。次いで、アクセス端末から信号が受信されたことを示す任意の応答に基づいて、ターゲットアクセスポイントを識別することができる。【選択図】図３Ａ
2013158022.tif 000002
【特許請求の範囲】
【請求項１】
アクセス端末に関連するマッピングを判断することと、ここで、前記マッピングは第１のアクセスポイントを識別するために前記アクセス端末によって使用される第１の識別子を前記第１のアクセスポイントに割り当てられた第２の識別子に関係づける、
前記マッピングを示す情報を記憶することと、
を備える、通信の方法。
【請求項２】
前記マッピングの前記判断は前記アクセス端末が前に前記第１のアクセスポイントにアクセスしたことを判断することを備える、請求項１に記載の方法。
【請求項３】
前記マッピングの前記判断は前記アクセス端末による前記第１の識別子の使用に関連する混同を解決するときに行われる、請求項１に記載の方法。
【請求項４】
第２のアクセスポイントは前記マッピングを判断するために前記アクセス端末からの測定報告を介して前記第１および第２の識別子を受信する、請求項１に記載の方法。
【請求項５】
第２のアクセスポイントは前記アクセス端末から前記第１の識別子を受信し、
前記第２のアクセスポイントは前記アクセス端末が無線リンク障害後に前記第１のアクセスポイントにアクセスしたことを示すメッセージを介して、前記第１のアクセスポイントから前記第２の識別子を受信する、
請求項１に記載の方法。
【請求項６】
前記第１のアクセスポイントからの前記メッセージは前記第２のアクセスポイントから前記第１のアクセスポイントに中継すべきアクセス端末コンテキスト情報の要求を備える、請求項５に記載の方法。
【請求項７】
前記アクセス端末は前に第２のアクセスポイントから前記第１のアクセスポイントにハンドオーバされたことがあり、
前記第２のアクセスポイントは前記ハンドオーバに関係するメッセージを介して前記第２の識別子を受信する、
請求項１に記載の方法。
【請求項８】
前記アクセス端末から前記第１の識別子を備える測定報告を受信することと、
前記第１の識別子に関連するアクセスポイント混同があると判断することと、
前記混同を解決するために、前記記憶された情報を使用することと、
をさらに備える、請求項１に記載の方法。
【請求項９】
第２のアクセスポイントにおいて、前記第１の識別子を備える測定報告を前記アクセス端末から受信することと、
前記アクセス端末が前記第２のアクセスポイントから前記第１のアクセスポイントにハンドオーバされるべきであると判断するために、前記記憶された情報を使用することと、
前記第１のアクセスポイントを前記アクセス端末のハンドオーバのために準備するためのメッセージを送信することと、
をさらに備える、請求項１に記載の方法。
【請求項１０】
前記アクセス端末に関連する別のマッピングを判断することと、ここで、前記別のマッピングは前記第１の識別子を、少なくとも１つの他のアクセスポイントに割り当てられた少なくとも１つの他の識別子に関係づけ、前記記憶された情報は前記別の関係を示す、
前記記憶された情報に基づいて、前記第１のアクセスポイントと前記少なくとも１つの他のアクセスポイントとを前記アクセス端末のハンドオーバのための候補ターゲットアクセスポイントとして識別することと、
前記第１のアクセスポイントと前記少なくとも１つの他のアクセスポイントとを前記アクセス端末のハンドオーバのために準備するためのメッセージを送信することと、
をさらに備える、請求項１に記載の方法。
【請求項１１】
前記第１の識別子はパイロット擬似雑音オフセットまたは物理セル識別子を備える、請求項１に記載の方法。
【請求項１２】
前記第１の識別子は物理セル識別子を備え、
前記第２の識別子はグローバルセル識別子を備える、
請求項１に記載の方法。
【請求項１３】
前記第１のアクセスポイントはフェムトアクセスポイントを備え、
前記マッピングの前記判断は前記アクセス端末のためのサービングマクロアクセスポイントにおいて実行され、
前記情報は前記マクロアクセスポイントにおいて記憶される、
請求項１に記載の方法。
【請求項１４】
アクセス端末に関連するマッピングを判断するように構成されたマッピングコントローラと、ここで前記マッピングは第１のアクセスポイントを識別するために前記アクセス端末によって使用される第１の識別子を前記第１のアクセスポイントに割り当てられた第２の識別子に関係づける、
前記マッピングを示す情報を記憶するように構成されたメモリデバイスと、
を備える、通信のための装置。
【請求項１５】
前記マッピングの前記判断は前記アクセス端末が前に前記第１のアクセスポイントにアクセスしたことを判断することを備える、請求項１４に記載の装置。
【請求項１６】
前記マッピングの前記判断は前記アクセス端末による前記第１の識別子の使用に関連する混同を解決するときに行われる、請求項１４に記載の装置。
【請求項１７】
前記アクセス端末から前記第１の識別子を備える測定報告を受信するように構成された通信コントローラと、
前記第１の識別子に関連するアクセスポイント混同があると判断するように構成され、前記混同を解決するために、前記記憶された情報を使用するようにさらに構成されたハンドオーバコントローラと、
をさらに備える、請求項１４に記載の装置。
【請求項１８】
前記第１のアクセスポイントはフェムトアクセスポイントを備え、
前記マッピングの前記判断は前記アクセス端末のためのサービングマクロアクセスポイントにおいて実行され、
前記情報は前記マクロアクセスポイントにおいて記憶される、
請求項１４に記載の装置。
【請求項１９】
アクセス端末に関連するマッピングを判断するための手段と、ここで、前記マッピングは第１のアクセスポイントを識別するために前記アクセス端末によって使用される第１の識別子を、前記第１のアクセスポイントに割り当てられた第２の識別子に関係づける、
前記マッピングを示す情報を記憶するための手段と、
を備える、通信のための装置。
【請求項２０】
前記マッピングの前記判断は前記アクセス端末が前に前記第１のアクセスポイントにアクセスしたことを判断することを備える、請求項１９に記載の装置。
【請求項２１】
前記マッピングの前記判断は前記アクセス端末による前記第１の識別子の使用に関連する混同を解決するときに行われる、請求項１９に記載の装置。
【請求項２２】
前記アクセス端末から前記第１の識別子を備える測定報告を受信するための手段と、
前記第１の識別子に関連するアクセスポイント混同があると判断するための手段と、
前記混同を解決するために、前記記憶された情報を使用するための手段と、
をさらに備える、請求項１９に記載の装置。
【請求項２３】
前記第１のアクセスポイントがフェムトアクセスポイントを備え、
前記マッピングの前記判断は前記アクセス端末のためのサービングマクロアクセスポイントにおいて実行され、
前記情報は前記マクロアクセスポイントにおいて記憶される、
請求項１９に記載の装置。
【請求項２４】
アクセス端末に関連するマッピングを判断することと、ここで、前記マッピングは第１のアクセスポイントを識別するために前記アクセス端末によって使用される第１の識別子を、前記第１のアクセスポイントに割り当てられた第２の識別子に関係づける、
前記マッピングを示す情報を記憶することと、
をコンピュータに行わせるためのコードを備えるコンピュータ可読媒体を備える、コンピュータプログラム製品。
【請求項２５】
前記マッピングの前記判断は前記アクセス端末が前に前記第１のアクセスポイントにアクセスしたことを判断することを備える、請求項２４に記載のコンピュータプログラム製品。
【請求項２６】
前記マッピングの前記判断は前記アクセス端末による前記第１の識別子の使用に関連する混同を解決するときに行われる、請求項２４に記載のコンピュータプログラム製品。
【請求項２７】
前記コンピュータ可読媒体は、
前記アクセス端末から前記第１の識別子を備える測定報告を受信することと、
前記第１の識別子に関連するアクセスポイント混同があると判断することと、
前記混同を解決するために、前記記憶された情報を使用することと、
を前記コンピュータに行わせるためのコードをさらに備える、請求項２４に記載のコンピュータプログラム製品。
【請求項２８】
前記第１のアクセスポイントはフェムトアクセスポイントを備え、
前記マッピングの前記判断は前記アクセス端末のためのサービングマクロアクセスポイントにおいて実行され、
前記情報は前記マクロアクセスポイントにおいて記憶される、
請求項２４に記載のコンピュータプログラム製品。
【請求項２９】
アクセス端末によって捕捉されたアクセスポイント識別子の指示を受信することと、
前記アクセスポイント識別子と、前記アクセス端末に関連するマッピングを示す記憶された情報とに基づいて、少なくとも１つのアクセスポイントを識別することと、ここで、前記マッピングは前記アクセスポイント識別子を前記少なくとも１つの他のアクセスポイントに関係づける、
前記少なくとも１つのアクセスポイントを前記アクセス端末のハンドオーバのために準備するための少なくとも１つのメッセージを前記少なくとも１つのアクセスポイントに送信することと、
を備える、通信の方法。
【請求項３０】
前記記憶された情報は前記アクセス端末が前に前記少なくとも１つのアクセスポイントにアクセスしたことを示す、請求項２９に記載の方法。
【請求項３１】
前記アクセスポイント識別子に関連するアクセスポイント混同があると判断することと、
前記混同を解決するために、前記記憶された情報を使用することと、
をさらに備える、請求項２９に記載の方法。
【請求項３２】
前記少なくとも１つのアクセスポイントは少なくとも１つのフェムトアクセスポイントを備え、
前記アクセスポイント識別子は前記アクセス端末のためのサービングマクロアクセスポイントにおいて受信され、
前記情報は前記マクロアクセスポイントにおいて記憶される、
請求項２９に記載の方法。
【請求項３３】
前記アクセスポイント識別子の前記指示は前記アクセス端末によって送信された測定報告を介して前記マクロアクセスポイントにおいて受信される、請求項２９に記載の方法。
【請求項３４】
前記アクセスポイント識別子はパイロット擬似雑音オフセットまたは物理セル識別子を備える、請求項２９に記載の方法。
【請求項３５】
前記アクセスポイント識別子は物理セル識別子を備え、
前記記憶された情報は前記アクセスポイント識別子を少なくとも１つのグローバルセル識別子にマッピングする、
請求項２９に記載の方法。
【請求項３６】
アクセス端末によって捕捉されたアクセスポイント識別子の指示を受信するように構成された通信コントローラと、
前記アクセスポイント識別子と、前記アクセス端末に関連するマッピングを示す記憶された情報とに基づいて、少なくとも１つのアクセスポイントを識別するように構成されたハンドオーバコントローラと、ここで、前記マッピングは前記アクセスポイント識別子を前記少なくとも１つの他のアクセスポイントに関係づけ、前記ハンドオーバコントローラは前記少なくとも１つのアクセスポイントを前記アクセス端末のハンドオーバのために準備するための少なくとも１つのメッセージを前記少なくとも１つのアクセスポイントに送信するようにさらに構成されている、
を備える、通信のための装置。
【請求項３７】
前記記憶された情報は前記アクセス端末が前に前記少なくとも１つのアクセスポイントにアクセスしたことを示す、請求項３６に記載の装置。
【請求項３８】
前記ハンドオーバコントローラは、
前記アクセスポイント識別子に関連するアクセスポイント混同があると判断することと、
前記混同を解決するために、前記記憶された情報を使用することと、
を行うようにさらに構成された、請求項３６に記載の装置。
【請求項３９】
前記少なくとも１つのアクセスポイントは少なくとも１つのフェムトアクセスポイントを備え、
前記アクセスポイント識別子は前記アクセス端末のためのサービングマクロアクセスポイントにおいて受信され、
前記情報は前記マクロアクセスポイントにおいて記憶される、
請求項３６に記載の装置。
【請求項４０】
アクセス端末によって捕捉されたアクセスポイント識別子の指示を受信するための手段と、
前記アクセスポイント識別子と、前記アクセス端末に関連するマッピングを示す記憶された情報とに基づいて、少なくとも１つのアクセスポイントを識別するための手段と、ここで、前記マッピングは前記アクセスポイント識別子を前記少なくとも１つの他のアクセスポイントに関係づけ、
前記少なくとも１つのアクセスポイントを前記アクセス端末のハンドオーバのために準備するための少なくとも１つのメッセージを前記少なくとも１つのアクセスポイントに送信するための手段と、
を備える、通信のための装置。
【請求項４１】
前記記憶された情報は前記アクセス端末が前に前記少なくとも１つのアクセスポイントにアクセスしたことを示す、請求項４０に記載の装置。
【請求項４２】
前記アクセスポイント識別子に関連するアクセスポイント混同があると判断するための手段と、
前記混同を解決するために、前記記憶された情報を使用するための手段と、
をさらに備える、請求項４０に記載の装置。
【請求項４３】
前記少なくとも１つのアクセスポイントは少なくとも１つのフェムトアクセスポイントを備え、
前記アクセスポイント識別子は前記アクセス端末のためのサービングマクロアクセスポイントにおいて受信され、
前記情報は前記マクロアクセスポイントにおいて記憶される、
請求項４０に記載の装置。
【請求項４４】
アクセス端末によって捕捉されたアクセスポイント識別子の指示を受信することと、
前記アクセスポイント識別子と、前記アクセス端末に関連するマッピングを示す記憶された情報とに基づいて、少なくとも１つのアクセスポイントを識別することと、ここで、前記マッピングは前記アクセスポイント識別子を前記少なくとも１つの他のアクセスポイントに関係づける、
前記少なくとも１つのアクセスポイントを前記アクセス端末のハンドオーバのために準備するための少なくとも１つのメッセージを前記少なくとも１つのアクセスポイントに送信することと、
をコンピュータに行わせるためのコードを備えるコンピュータ可読媒体を備える、コンピュータプログラム製品。
【請求項４５】
前記記憶された情報は前記アクセス端末が前に前記少なくとも１つのアクセスポイントにアクセスしたことを示す、請求項４４に記載のコンピュータプログラム製品。
【請求項４６】
前記コンピュータ可読媒体は、
前記アクセスポイント識別子に関連するアクセスポイント混同があると判断することと、
前記混同を解決するために、前記記憶された情報を使用することと、
を前記コンピュータに行わせるためのコードをさらに備える、請求項４４に記載のコンピュータプログラム製品。
【請求項４７】
前記少なくとも１つのアクセスポイントは少なくとも１つのフェムトアクセスポイントを備え、
前記アクセスポイント識別子は前記アクセス端末のためのサービングマクロアクセスポイントにおいて受信され、
前記情報は前記マクロアクセスポイントにおいて記憶される、
請求項４４に記載のコンピュータプログラム製品。
【請求項４８】
第１のアクセスポイントからのハンドオーバ中に複数のアクセスポイントを識別するために共通識別子が使用されることを示す情報を受信することと、
前記アクセスポイントのうちの所与の１つが前記第１のアクセスポイントからのハンドオーバ中にノード識別子によって識別される確率を示す統計情報を与えることと、
を備える、通信の方法。
【請求項４９】
前記識別子をアクセス端末から受信することと、
前記複数のアクセスポイントから、前記第１のアクセスポイントから前記アクセス端末をハンドオーバするための少なくとも１つの候補ターゲットアクセスポイントを識別するために、前記統計情報を使用することと、
をさらに備える、請求項４８に記載の方法。
【請求項５０】
前記少なくとも１つの候補ターゲットアクセスポイントを前記アクセス端末のハンドオーバのために準備するための少なくとも１つのメッセージを送信することをさらに備える、請求項４９に記載の方法。
【請求項５１】
前記少なくとも１つの候補ターゲットアクセスポイントの前記識別は前記アクセスポイントのうち、ハンドオーバ中に前記識別子によって識別される最高確率に関連するアクセスポイントを判断することを備える、請求項４９に記載の方法。
【請求項５２】
前記アクセス端末のためのマッピングが維持されているかどうかを判断することと、ここで、前記マッピングは前記識別子を、前記第１のアクセスポイントからの前のハンドオーバ中に前記アクセス端末がハンドオーバされた先のアクセスポイントにマッピングする、判断することと、
前記マッピングが維持されているかどうかの前記判断に基づいて、前記少なくとも１つの候補ターゲットアクセスポイントを識別するために、前記統計情報を使用すべきかどうかを判断することと、
をさらに備える、請求項４９に記載の方法。
【請求項５３】
前記第１のアクセスポイントにおいて、前記情報は受信され、前記統計情報は記憶される、請求項４８に記載の方法。
【請求項５４】
前記識別子は物理セル識別子を備え、
前記受信した情報は前記物理セル識別子を、前記複数のアクセスポイントに割り当てられたグローバルセル識別子に関係づける、
請求項４８に記載の方法。
【請求項５５】
第１のアクセスポイントからのハンドオーバ中に複数のアクセスポイントを識別するために共通識別子が使用されることを示す情報を受信するように構成された通信コントローラと、
前記アクセスポイントのうちの所与の１つが前記第１のアクセスポイントからのハンドオーバ中にノード識別子によって識別される確率を示す統計情報を与えるように構成された統計コントローラと、
を備える、通信のための装置。
【請求項５６】
前記通信コントローラは前記識別子をアクセス端末から受信するようにさらに構成され、前記装置は、
前記複数のアクセスポイントから、前記第１のアクセスポイントから前記アクセス端末をハンドオーバするための少なくとも１つの候補ターゲットアクセスポイントを識別するために、前記統計情報を使用するように構成されたハンドオーバコントローラをさらに備える、請求項５５に記載の装置。
【請求項５７】
前記少なくとも１つの候補ターゲットアクセスポイントの前記識別は前記アクセスポイントのうち、ハンドオーバ中に前記識別子によって識別される最高確率に関連するアクセスポイントを判断することを備える、請求項５６に記載の装置。
【請求項５８】
前記第１のアクセスポイントにおいて、前記情報は受信され、前記統計情報は記憶される、請求項５５に記載の装置。
【請求項５９】
第１のアクセスポイントからのハンドオーバ中に複数のアクセスポイントを識別するために共通識別子が使用されることを示す情報を受信するための手段と、
前記アクセスポイントのうちの所与の１つが前記第１のアクセスポイントからのハンドオーバ中にノード識別子によって識別される確率を示す統計情報を与えるための手段と、
を備える、通信のための装置。
【請求項６０】
前記識別子をアクセス端末から受信するための手段と、
前記複数のアクセスポイントから、前記第１のアクセスポイントから前記アクセス端末をハンドオーバするための少なくとも１つの候補ターゲットアクセスポイントを識別するために、前記統計情報を使用するための手段と、
をさらに備える、請求項５９に記載の装置。
【請求項６１】
前記少なくとも１つの候補ターゲットアクセスポイントの前記識別は前記アクセスポイントのうち、ハンドオーバ中に前記識別子によって識別される最高確率に関連するアクセスポイントを判断することを備える、請求項６０に記載の装置。
【請求項６２】
前記第１のアクセスポイントにおいて、前記情報は受信され、前記統計情報は記憶される、請求項５９に記載の装置。
【請求項６３】
第１のアクセスポイントからのハンドオーバ中に複数のアクセスポイントを識別するために共通識別子が使用されることを示す情報を受信することと、
前記アクセスポイントのうちの所与の１つが前記第１のアクセスポイントからのハンドオーバ中にノード識別子によって識別される確率を示す統計情報を与えることと、
をコンピュータに行わせるためのコードを備えるコンピュータ可読媒体を備える、コンピュータプログラム製品。
【請求項６４】
前記コンピュータ可読媒体は、
前記識別子をアクセス端末から受信することと、
前記複数のアクセスポイントから、前記第１のアクセスポイントから前記アクセス端末をハンドオーバするための少なくとも１つの候補ターゲットアクセスポイントを識別するために、前記統計情報を使用することと、
を前記コンピュータに行わせるためのコードをさらに備える、請求項６３に記載のコンピュータプログラム製品。
【請求項６５】
前記少なくとも１つの候補ターゲットアクセスポイントの前記識別は、前記アクセスポイントのうち、ハンドオーバ中に前記識別子によって識別される最高確率に関連するアクセスポイントを判断することを備える、請求項６４に記載のコンピュータプログラム製品。
【請求項６６】
前記第１のアクセスポイントにおいて、前記情報は受信され、前記統計情報は記憶される、請求項６３に記載のコンピュータプログラム製品。
【発明の詳細な説明】
【技術分野】
【０００１】
本出願は、一般に通信に関し、より詳細には、限定はしないが、アクセスポイント識別子に関連する曖昧さ(ambiguity)を解決するための技法に関する。
【背景技術】
【０００２】
［優先権の主張］
本出願は、各々の開示が参照により本明細書に組み込まれる、２００８年９月１８日に出願され、代理人整理番号第０８２７６１Ｐ１号を付与された、同一出願人が所有する米国特許仮出願第６１／０９８，２０３号、および２００９年３月９日に出願され、代理人整理番号第０９１５７０Ｐ１号を付与された、米国特許仮出願第６１／１５８，５３６号の利益および優先権を主張する。
【０００３】
［序論］
ワイヤレス通信システムは、様々なタイプの通信を複数のユーザに提供するために広く展開されている。たとえば、ボイス、データ、マルチメディアサービスなどをユーザのアクセス端末（たとえば、セルフォン）に提供することができる。高速なマルチメディアデータサービスの需要が急速に増大するにつれて、向上したパフォーマンスをもつ効率的でロバストな通信システムを実装することが課題となっている。
【０００４】
従来のモバイルフォンネットワークアクセスポイント（たとえば、マクロ基地局）を補うために、小カバレージアクセスポイントを展開して、よりロバストな屋内ワイヤレスカバレージをアクセス端末に与えることができる。そのような小カバレージアクセスポイントは、アクセスポイント基地局、ホームノードＢ、ホームｅノードＢ、フェムトアクセスポイント、またはフェムトセルとして一般に知られている。一般に、そのような小カバレージアクセスポイントは、（たとえば、ユーザの家庭に設置されるとき）ＤＳＬルータまたはケーブルモデムを介してインターネットおよびモバイル事業者のネットワークに接続される。
【０００５】
実際問題として、所与のエリアに（たとえば、所与のマクロセルのカバレージエリア内に）比較的多数の小カバレージアクセスポイントが展開される得る。したがって、利用可能な識別子の数は一般に制限される（たとえば、物理レイヤ識別子はわずか１０ビット長であり得る）ので、これらのアクセスポイントのうちのいくつかは同じ識別子を割り当てられ得る。その結果、ネットワーク中のアクセス端末が、所与の識別子を有するアクセスポイントから信号が受信されたことをアクセス端末のサービングアクセスポイント(serving access point)（たとえば、ハンドオーバソース）に報告するとき、どのアクセスポイント（たとえば、ハンドオーバターゲット）が参照されているかに関する混同(confusion)が存在し得る。したがって、ネットワーク中の他のノードがアクセスポイントと効率的に通信することができるように、それらのアクセスポイントを識別するための有効な技法が必要である。
【発明の概要】
【０００６】
本開示の例示的な態様の概要について以下で説明する。本明細書における態様という用語への言及は、本開示の１つまたは複数の態様を指すことができることを理解されたい。
【０００７】
本開示は、いくつかの態様では、アクセスポイント識別子に関連する曖昧さ（たとえば、混同）を解決することに関する。たとえば、アクセス端末が、ある信号を送信したアクセスポイントの識別子を備えるその信号を捕捉し、アクセス端末がそのアクセスポイントにハンドオーバされるべきであると判断されたとき、その識別子によって識別されるアクセスポイントの正確な識別情報に関する混同が起こり得る。このような曖昧さを解決するための様々な技法について本明細書で説明する。
【０００８】
本開示は、いくつかの態様では、混同を招きやすい識別子を割り当てられた１つまたは複数のアクセスポイントにメッセージを送信することであって、それにより、各メッセージが、その識別子を報告したアクセス端末からの信号を監視するように所与のアクセスポイントに要求する、ことに関する。次いで、アクセス端末から信号が受信されたことを示す任意の応答に基づいて、ターゲットアクセスポイントを識別することができる。たとえば、ただ１つの応答が受信された場合は、その応答を送信したアクセスポイントがターゲットアクセスポイントであると仮定することができる。逆に、２つ以上の応答が受信された場合は、最も高い受信信号強度を有する信号を受信したアクセスポイントをターゲットアクセスポイントとして識別することができる。
【０００９】
場合によっては、ティア化(tiered)ターゲット選択方式が採用できる。たとえば、最初に、第１の優先順位ティア(first priority tier)に関連する各アクセスポイント（たとえば、ハンドオーバすべきアクセス端末のホームフェムトノード）に要求を送信することができる。（１つまたは複数の）第１ティアアクセスポイントからの（１つまたは複数の）応答からターゲットアクセスポイントを識別することができない場合、第２の優先順位ティアに関連する各アクセスポイント（たとえば、アクセス端末が前にアクセスしたアクセスポイント）に要求を送信することができる。（１つまたは複数の）第２ティアアクセスポイントからの（１つまたは複数の）応答からターゲットアクセスポイントを識別することができない場合、第３の優先順位ティアに関連する各アクセスポイントに要求を送信することができ、以下同様である。さらに、異なるティアにおいて異なるアルゴリズムが採用できる。たとえば、あるティアは、応答とともに含まれる相対的な受信信号強度に基づいて決定を行うことに関与することができ、別のティアは、アクセス端末のマクロネイバーリスト(macro neighbor list)と、応答するアクセスポイントのマクロネイバーリストとの比較に基づいて決定を行うことに関与することができる。
【００１０】
本開示は、いくつかの態様では、アクセス端末が前にどのアクセスポイントにアクセスしたかに関係する履歴記録に基づいて識別子混同を解決することに関する。たとえば、所与のアクセス端末が所与の識別子を報告するとき、そのアクセス端末は、通常（または常に）、最後には特定のアクセスポイント（またはアクセスポイントの限定されたセットのいずれか１つ）にハンドオフされることになることが、そのアクセス端末の前のハンドオフに基づいて判断できる。したがって、その識別子を１つまたは複数のアクセスポイントにマッピングする、そのアクセス端末のためのマッピングを行うことができる。したがって、その識別子がその後そのアクセス端末から受信された場合、そのマッピングを使用して、どの（１つまたは複数の）アクセスポイントがそのアクセス端末のハンドオーバのために準備されるべきかを識別することができる。
【００１１】
本開示のこれらおよび他の例示的な態様について、以下の詳細な説明および添付の特許請求の範囲、ならびに添付の図面において説明する。
【図面の簡単な説明】
【００１２】
【図１】通信システムのいくつかの例示的な態様の簡略ブロック図。
【図２】ハンドオーバ動作のいくつかの例示的な態様を示すフローチャート。
【図３Ａ】ハンドオーバ動作のいくつかの例示的な態様を示すフローチャート。
【図３Ｂ】ハンドオーバ動作のいくつかの例示的な態様を示すフローチャート。
【図４Ａ】使用履歴データベースを維持し、ティア化混同解決を行うために実行できる動作のいくつかの例示的な態様を示すフローチャート。
【図４Ｂ】例示的なデータベース構造を示す簡略図。
【図５】通信ノードにおいて採用できる構成要素のいくつかの例示的な態様の簡略ブロック図。
【図６】例示的なハンドオーバプロシージャの簡略コールフロー図。
【図７】アクセス端末固有のマッピングを使用することによって混同を解決しながらハンドオーバを実行するための動作のいくつかの例示的な態様を示すフローチャート。
【図８Ａ】アクセス端末固有のマッピングを判断することに関連して実行できる動作のいくつかの例示的な態様を示すフローチャート。
【図８Ｂ】アクセス端末固有のマッピングを判断することに関連して実行できる動作のいくつかの例示的な態様を示すフローチャート。
【図８Ｃ】アクセス端末固有のマッピングを判断することに関連して実行できる動作のいくつかの例示的な態様を示すフローチャート。
【図９】統計情報を使用することによって混同を解決しながらハンドオーバを実行するための動作のいくつかの例示的な態様を示すフローチャート。
【図１０】通信ノードにおいて採用できる構成要素のいくつかの例示的な態様の簡略ブロック図。
【図１１】ワイヤレス通信システムの簡略図。
【図１２】フェムトノードを含むワイヤレス通信システムの簡略図。
【図１３】ワイヤレス通信のためのカバレージエリアを示す簡略図。
【図１４】通信構成要素のいくつかの例示的な態様の簡略ブロック図。
【図１５】本明細書で教示する、曖昧さ解決を行うように構成された装置のいくつかの例示的な態様の簡略ブロック図。
【図１６】本明細書で教示する、曖昧さ解決を行うように構成された装置のいくつかの例示的な態様の簡略ブロック図。
【図１７】本明細書で教示する、曖昧さ解決を行うように構成された装置のいくつかの例示的な態様の簡略ブロック図。
【図１８】本明細書で教示する、曖昧さ解決を行うように構成された装置のいくつかの例示的な態様の簡略ブロック図。
【図１９】本明細書で教示する、曖昧さ解決を行うように構成された装置のいくつかの例示的な態様の簡略ブロック図。
【詳細な説明】
【００１３】
慣例により、図面中に示された様々な特徴は一定の縮尺で描かれていないことがある。したがって、様々な特徴の寸法は、わかりやすいように任意に拡大または縮小され得る。さらに、図面のいくつかは、わかりやすいように簡略化され得る。したがって、図面は、所与の装置（たとえば、デバイス）または方法の構成要素のすべてを示しているわけではない。最後に、明細書および図の全体にわたって同じ特徴を示すために同じ参照番号が使用され得る。
【００１４】
本開示の様々な態様について以下で説明する。本明細書の教示は多種多様な形態で実施でき、本明細書で開示されている特定の構造、機能、またはその両方は代表的なものにすぎないことは明らかであろう。本明細書の教示に基づいて、本明細書で開示される態様は他の態様とは無関係に実装できること、およびこれらの態様のうちの２つ以上を様々な方法で組み合わせることができることを、当業者なら諒解されたい。たとえば、本明細書に記載の態様をいくつ使用しても、装置を実装し、または方法を実施することができる。さらに、本明細書に記載の態様のうちの１つまたは複数に加えて、あるいはそれら以外の他の構造、機能、または構造および機能を使用して、そのような装置を実装し、またはそのような方法を実施することができる。さらに、態様は、請求項の少なくとも１つの要素を備えることができる。
【００１５】
図１に、例示的な通信システム１００（たとえば、通信ネットワークの一部）のいくつかのノードを示す。説明のために、本開示の様々な態様について、互いに通信する１つまたは複数のアクセス端末、アクセスポイント、およびネットワークノードの文脈で説明する。ただし、本明細書の教示は、他のタイプの装置、または他の用語を使用して参照される他の同様の装置に適用可能であることを諒解されたい。たとえば、様々な実装形態では、アクセスポイントを基地局またはｅノードＢと呼ぶこと、あるいは基地局またはｅノードＢとして実装することができ、アクセス端末をユーザ機器または移動局などと呼ぶこと、あるいはユーザ機器または移動局などとして実装することができる。
【００１６】
システム１００中のアクセスポイントは、１つまたは複数のサービス（たとえば、ネットワーク接続性）を、システム１００のカバレージエリア内に設置されるか、またはシステム１００のカバレージエリア全体にわたってローミングする１つまたは複数のワイヤレス端末に提供する。たとえば、様々な時点で、アクセス端末１０２は、アクセスポイント１０４、（アクセスポイント１０６および１０８ならびに関連する省略符号によって表される）アクセスポイント１〜Ｎのセットのうちのいずれか１つ、またはアクセスポイント１１０に接続することができる。
【００１７】
アクセスポイント１０４〜１１０の各々は、ワイドエリアネットワーク接続性を可能にするために、（便宜上、ネットワークノード１１２によって表される）１つまたは複数のネットワークノードと通信することができる。そのようなネットワークノードは、たとえば、１つまたは複数の無線および／またはコアネットワークエンティティなどの様々な形態をとることができる。したがって、様々な実装形態では、ネットワークノード１１０は、（たとえば、運用、管理（administration）、管理、およびプロビジョニングエンティティ(provisioning entity)を介した）ネットワーク管理、コール制御、モビリティ管理、ゲートウェイ機能、インターワーキング機能などの機能、または何らかの他の好適なネットワーク機能を表すことができる。
【００１８】
システム１００中の各アクセスポイントは、アクセスポイントを容易に識別するために使用できる第１のタイプの識別子を割り当てられ得る。ここで、（たとえば、アクセス端末がアクティブなコールを有するときでさえ）この識別子を含む信号がアクセス端末によって容易に検出できるように、その識別子中のビット数は比較的小さくできる。様々な実装形態では、そのような識別子は、たとえば、物理セル識別子(physical cell identifier)（「ＰＣＩ」）、パイロット擬似雑音(pilot pseudonoise)（「ＰＮ」）オフセット、または捕捉パイロット(acquisition pilot)を備えることができる。一般に、所与のシステムに対して一定量のノード識別子（たとえば、５００以下）が定義される。そのような場合、これらのアクセスポイントのうちのいくつかは同じ識別子を割り当てられ得るので、多数のアクセスポイント（たとえば、フェムトアクセスポイント）が同じ近傍において展開されると、識別子混同がしばしば起こり得る。
【００１９】
本明細書の教示に従ってどのように識別子混同を解決することができるかに関する概観について、図１と図２のフローチャートとを参照しながら説明する。図１は、アクセスポイント１０６とアクセスポイント１１０が両方とも「識別子１」を割り当てられた、単純な例を示す。アクセス端末１０２がシステム１００中をローミングするとき、アクセス端末１０２はソースアクセスポイント（すなわち、アクセス端末が現在接続されているサービングアクセスポイント、たとえば、アクセスポイント１０４）からターゲットアクセスポイント（たとえば、アクセスポイント１１０）にハンドオーバされる得る。
【００２０】
たとえば、図２のブロック２０２で表されるように、ある時点で、アクセス端末１０２は潜在的なターゲットアクセスポイントから信号を受信する。この信号は、パイロットＰＮオフセットまたはＰＣＩなど、潜在的なターゲットアクセスポイントの識別子を備える（たとえば、それを含むか、あるいはそれを用いて符号化またはスクランブルする）ことができる。この信号を受信すると、アクセス端末１０２は、その識別子と、関連する受信信号強度の指示（たとえば、ＲＳＳＩ）とを含むメッセージ（たとえば、測定報告(measurement report)）をアクセス端末１０２の現在のサービングアクセスポイントに送信する。
【００２１】
ブロック２０４で表されるように、アクセス端末１０２をターゲットアクセスポイントにハンドオーバするための決定を行う。この決定は、たとえば、アクセス端末１０２がそのターゲットアクセスポイントから（たとえば、しきい値を超える）特に強いパイロット信号を受信しているかどうかに基づくことができる。
【００２２】
混同がない場合、アクセス端末１０２によって捕捉された第１の識別子（たとえば、識別子１）は、ターゲットアクセスポイントとの通信を確立するために使用されるターゲットアクセスポイントに割り当てられる第２の識別子に明白にマッピングできる。いくつかの態様では、第２の識別子は第１の識別子よりも一意のものとする（たとえば、より多くのビットを備える）ことができる。たとえば、第２の識別子は、より大きい地理的エリア内で一意のものとすることができ、全ネットワーク（たとえば、ワイヤレス事業者ネットワーク）またはサブネット内で一意のものとすることができ、あるいは何らかの他の方法でより一意のものとすることができる。様々な実装形態では、そのような識別子は、たとえば、グローバルセル識別子（ＣＧＩ）、アクセスノード識別子（ＡＮＩＤ）、セルグローバル識別情報（ＩＣＧＩ）、セクタ識別子、またはＩＰアドレスを備えることができる。
【００２３】
しかしながら、ブロック２０６で表されるように、場合によっては、所与のエリア内の２つ以上のアクセスポイントが同じ第１の識別子を割り当てられ得る。たとえば、ソースマクロアクセスポイント１０４のカバレージエリア内のフェムトアクセスポイント１０６および１１０は、識別子１を割り当てられ得る。混同が存在するとき、ソースアクセスポイントは、どのアクセスポイントが所望のターゲットアクセスポイントであるかを判断することができないことがある。たとえば、アクセスポイント１０４は、アクセス端末のためのリソースを確保するために、アクセスポイント１０６と通信すべきなのか、またはアクセスポイント１１０と通信すべきなのかを判断することができないことがある。
【００２４】
ブロック２０８で表されるように、本明細書で説明する技法のうちの１つまたは複数を使用してターゲットアクセスポイントを識別することによって、このような混同を解決する。たとえば、図３Ａ〜図６に関連して以下でより詳細に説明するように、ハンドオーバすべきアクセス端末からの信号を監視するように潜在的なターゲット(potential targets)に要求し、この監視の結果を処理して、これらの潜在的なターゲットのうちのどれが意図されたターゲットである可能性が最も高いかを判断することによって、ターゲットを識別することができる。いくつかの態様では、この判断はティア化ターゲット解決方式を利用することができる。さらに、図７〜図１０に関連して以下でより詳細に説明するように、アクセス端末のために維持される使用履歴記録に基づいて１つまたは複数の候補ターゲットを識別することができる。たとえば、アクセス端末が所与の識別子（たとえば、ＰＣＩ）を報告するとき、アクセス端末が典型的にハンドオフされる特定のアクセスポイントを（たとえば、ＣＧＩを介して）識別するマッピングを維持することができる。
【００２５】
ブロック２１０で表されるように、ブロック２０８において識別されたターゲットアクセスポイントをアクセス端末１０２のハンドオーバのために準備する。ここで、サービングアクセスポイント（すなわち、ハンドオーバのためのソースアクセスポイント）は、アクセス端末のためのリソースを確保するために、ターゲットアクセスポイントと通信することができる。たとえば、サービングアクセスポイントによって維持されるコンテキスト情報をターゲットアクセスポイントに転送することができ、および／またはターゲットアクセスポイントによって維持されるコンテキスト情報をアクセス端末１０２に送信することができる。
【００２６】
ブロック２１２で表されるように、次いで、正しいターゲットアクセスポイントがハンドオーバのために準備された場合、ハンドオーバを完了する。ここで、アクセス端末とターゲットアクセスポイントは、従来のハンドオーバプロシージャ(handover procedures)に従って互いに通信することができる。
【００２７】
上記の概要を念頭において、本明細書の教示による、ターゲット監視を使用して混同を解決するために採用できる様々な技法について、図３Ａ〜図６を参照しながら説明する。説明のために、図３Ａ〜図６の動作（あるいは本明細書で説明または教示する任意の他の動作）については、特定の構成要素によって実行されるものとして説明することができる。ただし、これらの動作は、他のタイプの構成要素によって実行でき、異なる個数の構成要素を使用して実行できることを諒解されたい。また、本明細書で説明する動作の１つまたは複数は、所与の実装形態では採用されない場合があることを諒解されたい。
【００２８】
図３Ａのブロック３０２で表されるように、ターゲットアクセスポイントからの信号を捕捉すると、アクセス端末は測定報告（たとえば、パイロット強度測定メッセージ、ＰＳＭＭ）をアクセス端末のサービングアクセスポイントに送信する。上記で説明したように、この報告は、ターゲットアクセスポイントの識別子と、その信号がアクセス端末において受信されたときのその信号の信号強度とを含む。さらに、以下でより詳細に説明するように、場合によっては、アクセス端末は受信パイロット位相情報をその報告中に含めることができる。
【００２９】
たとえば、アクセス端末は、アクセス端末の近傍にあることが知られているマクロアクセスポイントを識別することができる。ここで、アクセス端末は、近接アクセスポイントからのパイロット信号などの信号を繰り返し監視することができ、アクセス端末が信号をそこから受信することが可能であるマクロアクセスポイントの記録を維持することができる。
【００３０】
別の例として、アクセス端末はまた、アクセス端末が近接マクロアクセスポイントから受信するパイロット信号に関連する位相情報を判断することができる。この位相情報は、たとえば、アクセス端末において観測されたパイロットＰＮ系列の位相に関することができる。場合によっては、アクセス端末は、あるアクセスポイントからのパイロット信号を基準として選択し、その基準に対して他の受信パイロット信号の相対位相を判断することができる。いくつかの態様では、このような位相情報は、アクセス端末のロケーションを推定するために使用されることがあり、なぜなら、同期システムでは、アクセス端末において受信された信号の位相遅延が、その信号を送信したアクセスポイントからのアクセス端末の距離を示すことができるからである。
【００３１】
次いで、ブロック３０４で表されるように、上記で説明した測定報告に基づいて、アクセス端末がターゲットポイントにハンドオーバされるべきであるという判断を行う。この決定は、たとえば、サービングアクセスポイントによって、および／または基地局コントローラなどのネットワークノードによって行うことができる。
【００３２】
ブロック３０６で表されるように、アクセス端末によって捕捉された識別子がターゲットアクセスポイントを明白に識別するかどうかに関する判断をも行う。識別子混同がない（たとえば、サービングアクセスポイントのカバレージエリア内の他のアクセスポイントが、その識別子を割り当てられない）場合、ターゲットアクセスポイントをアクセス端末のハンドオーバのために準備する（ブロック３０８）。
【００３３】
しかしながら、ブロック３０６において識別子混同があると判断された場合、動作フローは代わりにブロック３１０に進む。ここで、様々な基準（たとえば、使用履歴記録）に基づいて少なくとも１つの候補ターゲットアクセスポイントを識別する。これらの基準については、図４Ａに関連して以下でより詳細に説明する。
【００３４】
手短に言えば、場合によっては、アクセス端末がサービングアクセスポイントのカバレージエリア中にあるときにアクセス端末が向かう可能性がある先の特定のタイプのアクセスポイントを識別する情報を維持することができる。そのようなアクセスポイントは、たとえば、ホームフェムトアクセスポイントおよび／またはオフィスフェムトアクセスポイントを含むことができる。この場合、このアクセスポイント（またはこれらのアクセスポイント）は、ブロック３１０において（１つまたは複数の）候補アクセスポイントとして識別することができる。
【００３５】
さらに、場合によっては、アクセス端末が前に使用した（たとえば、アクセスした）（１つまたは複数の）アクセスポイントを識別する情報を維持することができる。ここで、アクセス端末が過去に所与のアクセスポイントを使用した場合、アクセス端末が再びそのアクセスポイントを使用することができると仮定することができる。したがって、このアクセスポイント（またはこれらのアクセスポイント）は、ブロック３１０において（１つまたは複数の）候補アクセスポイントとして識別することができる。
【００３６】
場合によっては、ブロック３１０において、考慮すべきアクセスポイントを限定する情報がないことがある。これらの場合、混同識別子を割り当てられていることが知られており、サービングアクセスポイントのカバレージエリア内にあるアクセスポイントのすべてを、ブロック３１０において（１つまたは複数の）候補アクセスポイントとして識別することができる。
【００３７】
ブロック３１２で表されるように、ブロック３１０において識別された各アクセスポイントにメッセージを送信する。各メッセージは、アクセス端末（すなわち、ブロック３０２において報告を送信したアクセス端末）からの信号を監視するための候補アクセスポイントへの要求を備える。この目的で、そのメッセージは、候補アクセスポイントがアクセス端末からの信号を捕捉できるようにするために、アクセス端末に関連する識別子を含むことができる。たとえば、その識別子は、（たとえば、アクセス端末のメッセージを符号化するかまたはスクランブルするためにアクセス端末によって使用される）ロングコードマスク(long code mask)、または何らかの他の好適な識別子を備えることができる。
【００３８】
ブロック３１４では、候補アクセスポイントにおけるそのようなメッセージの受信が表されている。次いで、ブロック３１６で表されるように、候補アクセスポイントはその信号を監視する（たとえば、逆方向リンクを捕捉することを試みる）。
【００３９】
次いで、図３Ｂのブロック３１８で表されるように、候補アクセスポイントがそのような信号を受信することが可能かどうかに関する判断を行う。候補アクセスポイントは、この信号を受信しなかった場合、ブロック３２０において否定応答（ＮＡＣＫ）応答を送信することがあり、または応答を送信しないことがある。いくつかの実装形態では、受信信号に関連する無効な（たとえば、不良の(poor)）測定結果がある（たとえば、候補アクセスポイントが低信号レベルを測定した）場合、候補アクセスポイントは否定応答を送信することがあり、または応答を送信しないことがある。
【００４０】
ここで、比較的アクセス端末から遠く離れているアクセスポイントは、アクセス端末から信号（たとえば、十分に有効な信号）を受信することができる可能性が低いことを諒解されたい。アクセス端末がこの遠く離れたアクセスポイントから十分な大きさの信号を受信している可能性が低いことがあると仮定すれば、そのようなアクセスポイントは、ターゲットアクセスポイントであるものとして考慮することに関して除外できる。言い換えれば、ブロック３０２においてアクセス端末によって捕捉された信号が、この遠く離れたアクセスポイントから発生した可能性は非常に低くなり得る。
【００４１】
逆に、比較的アクセス端末に近接するアクセスポイントは、アクセス端末から信号（たとえば、十分に有効な信号）を受信することができることが予想できる。この場合、アクセス端末がこの近接アクセスポイントから十分な大きさの信号を受信している可能性は非常に高くなり得る。したがって、このような近接アクセスポイントは、意図されたハンドオーバターゲットである可能性がある。
【００４２】
ブロック３２２で表されるように、候補アクセスポイントは、アクセス端末から信号（たとえば、十分な信号レベルをもつ信号）を受信した場合、その信号が受信されたことを示す応答メッセージを送信する。その応答は、候補アクセスポイントにおいて測定されたこの信号の受信信号強度の指示を含むことができる。
【００４３】
その応答はまた、ネイバーリスト情報、受信パイロット位相情報、および送信電力情報を含むことができる。たとえば、候補アクセスポイントは、候補アクセスポイントの近傍にあるマクロアクセスポイントを識別する情報を得るように構成できる。場合によっては、この情報は（たとえば、候補アクセスポイントが展開されるとき、または周期的に）ネットワークから得ることができる。代替的に、または追加として、候補アクセスポイントは、順方向リンク監視機能を有する場合、近接アクセスポイントからのパイロット信号などの信号を繰り返し監視することができ、アクセスポイントが信号をそこから受信することが可能であるマクロアクセスポイントの記録を維持することができる。典型的な場合、ネットワーク中のアクセスポイント（たとえば、フェムトアクセスポイント）は、応答を送信するより前に、ある時点で上記の情報を（たとえば、フェムトコンバージェンスサーバ(femto convergence server)に）報告する。たとえば、この情報は、候補アクセスポイントが展開されるとき、および／または周期的に報告することができる。
【００４４】
候補アクセスポイントはまた、アクセスポイントが近接マクロアクセスポイントから受信するパイロット信号に関連する位相情報（たとえば、位相遅延）を判断することができる。ブロック３０２において上述したことと同様にして、この位相情報は、候補アクセスポイントのロケーションを推定するために使用され得る。
【００４５】
図３のブロック３２４では、（１つまたは複数の）候補アクセスポイントからの（１つまたは複数の）応答メッセージの受信が表されている。いくつかの実装形態では、否定応答（たとえば、ＮＡＣＫ応答）、または無効な測定結果に関連する応答（たとえば、低信号レベルを測定した候補アクセスポイントからの不良の測定結果をもつ応答）は、無視される（たとえば、廃棄される）ことができる。このようにして、ターゲットを識別するために（たとえば、応答を受信するネットワークノードによって）より少数の応答を考慮すればよいことがあるので、スケーラビリティ(scalability)が改善されることができる。
【００４６】
ブロック３２６で表されるように、（１つまたは複数の）応答に基づいてターゲットアクセスポイントを識別する。たとえば、ただ１つの有効な肯定応答が受信された場合は、その応答を送信した候補アクセスポイントが実際のターゲットアクセスポイントであると仮定することができる。
【００４７】
逆に、２つ以上の肯定応答が受信された場合は、候補アクセスポイントから単一のターゲットアクセスポイントを選択することができる。ここで、たとえば、アクセス端末が比較的高い送信電力を有する場合、および／またはアクセス端末が、同じ識別子を割り当てられた複数のアクセスポイントに比較的近接する場合、複数の肯定応答が受信されることができる。
【００４８】
場合によっては、応答において与えられる受信信号強度指示に基づいてターゲットアクセスポイントを選択する。たとえば、最も高い受信信号強度を有する候補アクセスポイントをターゲットアクセスポイントとして選択することができる。
【００４９】
場合によっては、ターゲットアクセスポイントを選択するための別の基準が使用されることができる。たとえば、比較可能な受信信号強度指示が様々な候補アクセスポイントから受信されても、この情報は混同を解決しないことがある。
【００５０】
さらに、場合によっては、最も高い受信信号強度が実際のターゲットアクセスポイントの決定的な指示ではないことがある。たとえば、異なるフェムトアクセスポイントが異なる送信電力を有する場合、（低電力で送信する）第１のフェムトアクセスポイントにより近接しているアクセス端末は、アクセス端末からより遠く離れている（高電力で送信する）第２のフェムトアクセスポイントからより強いパイロット信号を受信していることができる。したがって、第２のフェムトアクセスポイントが、これらの状況下で真のターゲットアクセスポイントであり得る。しかしながら、第１のアクセスは、アクセス端末により近接しているので、より高い受信信号強度を報告することができる。
【００５１】
場合によっては、応答において与えられる送信電力情報に部分的に基づいてターゲットアクセスポイントを選択する。たとえば、ある候補アクセスポイントが別の候補アクセスポイントよりも低い電力レベルで送信すると判断することによって、ターゲットアクセスポイントを選択するために受信信号強度以外の何らかの基準が使用されるべきであると判断することができる。
【００５２】
場合によっては、応答において与えられる位相情報に基づいてターゲットアクセスポイントを選択する。ここで、ブロック３０２においてアクセス端末によって与えられた位相情報を、各応答において与えられる位相情報と比較することができる（たとえば、必要に応じて、タイミング基準の差を考慮する）。アクセス端末の位相情報に最も厳密に一致する位相情報を与える（それによって、このアクセスポイントがアクセス端末に最も近接していることを示す）候補アクセスポイントをターゲットアクセスポイントとして選択することができる。代替的に、この比較は、単に、アクセス端末の位相情報とはかなり異なる位相情報を有するアクセスポイントを除外するために使用されることがある。いくつかの態様では、そのような位相情報ベースの選択方式は、アクセスポイントのカバレージが比較的小さい場合に特に有効であることがある。しかしながら、アクセスポイントのカバレージが大きい場合、そのような方式は同じくらい確実ではないことがある。
【００５３】
場合によっては、応答において与えられるネイバーリスト情報に基づいてターゲットアクセスポイントを選択する。ここで、ブロック３０２においてアクセス端末によって与えられたパイロット測定情報（たとえば、アクセス端末によって参照される１つまたは複数のアクセスポイントを識別する、ある時間期間にわたってそのアクセス端末によって定期的に与えられるパイロット報告）を、各応答において与えられるネイバーリスト情報と比較することができる。アクセス端末のパイロット測定情報に最も厳密に一致するネイバーリスト情報を与える（それによって、このアクセスポイントがアクセス端末に最も近接していることを示す）候補アクセスポイントをターゲットアクセスポイントとして選択することができる。代替的に、この比較は、単に、アクセス端末のパイロット測定情報とはかなり異なるネイバーリストを有するアクセスポイントを除外するために使用されることができる。
【００５４】
ブロック３２８で表されるように、ターゲットアクセスポイントが識別されると、ターゲットアクセスポイントへのアクセス端末のハンドオーバを完了するための適切な動作を開始する。
【００５５】
上述のように、本明細書で教示する混同解決は、使用履歴記録に基づき、および／またはティアベースの解決方式に関与し得る。本開示のこれらの態様のいくつかの例について、図４Ａを参照しながら説明する。
【００５６】
ブロック４０２で表されるように、システム中のアクセス端末および／またはアクセスポイントに関連するいくつかのイベントを追跡することによって、そのシステム中の使用履歴情報を維持する。この情報は、たとえば、単純なデータ記録として、または正式なデータベース中のエントリとして、を含む様々な方法でメモリデバイスに記憶され得る。
【００５７】
いくつかの態様では、追跡されたイベントは、どのアクセスポイントがどのアクセス端末によって使用されたか、または使用されることになるかを示すことができる。場合によっては、アクセス端末が最初にホームフェムトアクセスポイントに関連付けられるときはいつでも、システムに通知することができる。場合によっては、システムは、アクセス端末が前にどこに登録したかを判断するために、アクセス端末による登録動作を追跡することができる。場合によっては、システムは、アクセス端末が所与のフェムトアクセスポイントとのコールを発生するか、終了するかまたはハンドオーバするたびに、データベースエントリを更新することができる。場合によっては、システムは、所与のアクセス端末が所与の識別子を報告するときに通常どこにハンドオーバされるかを判断するために、ハンドオーバ動作を追跡することができる。たとえば、ハンドオーバが要求されるたびに、システムはハンドオーバ回数および成功率を更新することができる。これは、いくつかの態様では、アルゴリズム評価、ティア分類、およびシステム構成品質（たとえば、識別子割当てアルゴリズムアセスメント）に対して有用であることがある。場合によっては、本明細書で教示する情報捕捉は、ビリング記録生成に関連して実装できる。場合によっては、フェムトアクセスポイントがアクティブにされるとき、システムは、フェムトアクセスポイントの識別子（たとえば、パイロットＰＮオフセット）およびマクロネイバーリストを学習することができる。所与のアクセス端末が１つまたは複数のアクセスポイントにアクセスした（またはアクセスすることを試みた）かどうか、いつアクセスした（またはアクセスすることを試みた）か、またはどのくらい頻繁にアクセスした（またはアクセスすることを試みた）かを判断するために、他の技法を採用することができることを諒解されたい。
【００５８】
図４Ｂを参照しながら、データベース構造の一例を以下に示す。データベース構造の第１の（最上位）レベルにおいて、データベースは１つまたは複数のマクロアクセスポイントエントリを含む。このようにして、システム中の所与のマクロアクセスポイントのカバレージエリア内でのアクセス端末使用に関する情報を追跡することができる。マクロアクセスポイントエントリの各々は、対応する一意のマクロアクセスポイント識別子によって識別され得る（たとえば、基地局ＩＤがＢＳ−ＩＤ１、ＢＳ−ＩＤ２など）。フェムトアクセスポイントが複数のマクロアクセスポイントネイバーを有するとき、所与のマクロアクセスポイントのカバレージエリア内のそのフェムトアクセスポイントのデータベース情報に、対応するマクロアクセスポイント識別子を使用して、アクセスすることができる。
【００５９】
各マクロアクセスポイントエントリは、第１のタイプの様々なフェムトアクセスポイント識別子（たとえば、パイロットＰＮオフセット、ＰＣＩ）のための第２のレベルのエントリを含む。たとえば、そのような識別子が所与のマクロアクセスポイントのカバレージエリア内で最初に使用されるとき、そのマクロアクセスポイントのための第１のレベルのエントリ（たとえば、ＢＳ−ＩＤ１）の下に、その識別子のための第２のレベルのエントリ（たとえば、パイロットＰＮオフセット１）が作成され得る。次いで、その識別子を後に使用すると、その識別子エントリが更新され得る。
【００６０】
各フェムトアクセスポイント識別子エントリは、今度は、第２のタイプの様々なフェムトアクセスポイント識別子（たとえば、ＣＧＩなどの一意識別子）のための第３のレベルのエントリを含む。たとえば、所与のパイロットＰＮオフセット（たとえば、パイロットＰＮオフセット１）を割り当てられたフェムトアクセスポイントが所与のマクロアクセスポイントのカバレージエリア内で使用されるとき、その同じアクセスポイントに割り当てられた一意識別子のための第３のレベルのエントリ（たとえば、フェムトＩＤ１）が作成され得る。このようにして、所与のマクロアクセスポイントのカバレージエリア内で同じパイロットＰＮオフセットを使用する様々なアクセスポイントに関する情報を維持することができる。
【００６１】
各第３のレベルのフェムトアクセスポイント識別子エントリは、今度は、その特定のアクセスポイントを使用する様々なアクセス端末のための第４のレベルのエントリを含む。たとえば、アクセス端末が所与のマクロアクセスポイントのカバレージエリア内で所与のフェムトアクセスポイントにアクセスするとき、そのアクセス端末のための第４のレベルのエントリ（たとえば、ＡＴ  ＩＤ１）が作成され得る。このようにして、所与のマクロアクセスポイントのカバレージエリア内で特定のアクセスポイントを使用する様々なアクセス端末に関する情報を維持することができる。アクセス端末エントリの各々は、対応する一意のアクセス端末識別子によって識別され得る。
【００６２】
各アクセス端末エントリは、今度は、そのアクセス端末によるアクセスポイント使用に関係する第５のレベルのエントリを含む。たとえば、１つのエントリ（たとえば、エントリ１）は、そのアクセス端末のための（１つまたは複数の）ホームフェムトアクセスポイントを識別することができる。１つのエントリ（たとえば、エントリ２）は、アクセス端末が、対応する（この構造のこのブランチのレベル３に対応する）アクセスポイントにアクセスした最も最近の時間（たとえば、時刻および／または日付）を示すことができる。１つのエントリ（たとえば、エントリ３）は、アクセス端末が、対応するアクセスポイントに何回アクセスしたかを示すことができる。１つのエントリ（たとえば、エントリ４）は、アクセス端末が何回（たとえば、存続期間中の回数）第１ティアハンドオーバ候補であったかを示すことができる。１つのエントリ（たとえば、エントリ５）は、アクセス端末が何回（たとえば、存続期間中の回数）第１ティアハンドオーバ候補として正しく識別されたかを示すことができる。同様のハンドオーバ候補エントリが、第２ティア、第３ティアなどに与えられ得る。
【００６３】
データベースを維持するために様々なプロビジョンが採用できる。たとえば、フェムトアクセスポイントロケーションが変わった場合、そのフェムトアクセスポイントのための記録を新たに開始することができる。また、データベースのサイズが過大になった場合、より新しいエントリのほうを優先してより古いエントリを除去することができる。
【００６４】
例示のために、候補ターゲットアクセスポイントを識別するための基準のティア化セットを使用する方式においてデータベース情報をどのように使用することができるかについての一例を以下に示す。この例では、ティアごとに候補ターゲットアクセスポイントの様々なセットが定義され、それにより、ティアごとにアクセス端末からの信号を監視するようにティア中のアクセスポイントに要求することができる。ここで、所与のティアのための動作が識別子混同を解決しなかった場合、次のティアにおいてより広いターゲッティングを採用することができる。たとえば、所与のティアにおいて、アクセス端末から信号を受信することが可能であるハンドオーバ候補がなかったために、そのティアの動作は混同を解決することができないことがある。同様に、様々な条件下で、（たとえば、曖昧さを低減するのに有用である、そのティアに対する記録がない場合）所与のティアがスキップされることがある。
【００６５】
図４Ａを参照しながら次に説明する例では、４つのティアが定義されている。第１ティアでは、候補アクセスポイントのセットは、アクセス端末のホームフェムトアクセスポイントからなる。第２ティアでは、候補アクセスポイントのセットは、アクセス端末が過去に使用したアクセスポイントからなる。第３ティアでは、候補アクセスポイントのセットは、アクセス端末によって報告されたパイロット測定値に一致するネイバーリストを有するフェムトアクセスポイントからなる。代替的に、第３ティアは、アクセス端末によって報告されたパイロット測定値と同様のパイロット位相情報を有するアクセスポイントからなる。第４ティアでは、候補アクセスポイントのセットは、混同を招く識別子を割り当てられ、アクセス端末のためのサービングマクロアクセスポイントをネイバーとして有する、すべての他のフェムトアクセスポイントからなる。いくつかの態様では、ティアの各々は、アクセス端末がアクセスすることを許可されている（たとえば、関連する限定加入者グループに対応する）アクセスポイントのみを識別するように定義できる。たとえば、アクセスポイントが制限され、アクセス端末がそのアクセスポイントにアクセスするための許可を有しない場合、そのアクセスポイントはティアエントリ中に含まれない。
【００６６】
図４Ａのブロック４０４で表されるように、ある時点で、アクセス端末によって報告された識別子が混同を招きやすいと判断する。次いで、ブロック４０６において、第１の混同解決ティア（最上位ティア）を選択する。
【００６７】
ブロック４０６で表されるように、ティア１の１つまたは複数の基準に基づいて１つまたは複数の候補ターゲットアクセスポイントを選択する。この例では、ティア１は、アクセス端末のためのホームフェムトアクセスポイントを選択することに関与する。
【００６８】
ブロック４０８で表されるように、ティア１の１つまたは複数の基準に基づいて混同を解決するための試みを行う。この場合、アクセス端末からの信号を監視するための要求をブロック４０６において識別されたホームフェムトアクセスポイントに送信する。次いで、応答が受信されたかどうかと、そうであれば、その応答の結果とに基づいてターゲット判断を行う。たとえば、ホームフェムトアクセスポイントがアクセス端末から信号を受信した場合は、ホームフェムトアクセスポイントが意図されたターゲットである（一般には、そのようになる）と判断し、したがって、混同は解決されたと考えられる。逆に、ホームフェムトアクセスポイントがその信号を受信しなかった場合は、混同は解決されていない。
【００６９】
ブロック４１２で表されるように、混同が解決された場合、動作フローはブロック４１４に進む。ここで、ブロック４１０において識別されたターゲットをハンドオーバのために準備し、本明細書で説明するハンドオーバ動作が進行する。
【００７０】
第１ティアの動作に基づいて混同が解決されなかった場合、ブロック４１２および４０６で表されるように、次の（第２）ティアを選択する。上記の例を続けると、アクセス端末が前に使用したフェムトアクセスポイントのセットの各フェムトアクセスポイントに監視要求を送信する。これらのアクセスポイントのうちの１つのみが、アクセス端末からその信号が受信されたことを示す応答を送信した場合は、混同が解決されたと考えられる。しかしながら、２つ以上のアクセスポイントが、信号が受信されたことを示す応答を送信した場合は、候補ターゲットの数を絞るためにさらなる処理を実行する。たとえば、どのアクセスポイントがアクセス端末に最も近接しているか（また、したがって、ターゲットである可能性が最も高いか）を判断しようとして、応答とともに送信された受信信号強度指示を比較することができる。
【００７１】
第２ティアの動作に基づいて混同が解決されなかった場合、プロセスフローは再びブロック４１２からブロック４０６に進み、第３ティアを選択する。ここで、アクセス端末のパイロット測定情報に一致するネイバーリストを有するフェムトアクセスポイントのセットの各フェムトアクセスポイントに監視要求を送信する。上記のように、ただ１つの肯定応答が受信された場合は、混同が解決されたと考えられるが、複数の肯定応答が受信された場合は、さらなる処理を実行する。
【００７２】
第３ティアの動作に基づいて混同が解決されなかった場合、プロセスフローは再びブロック４１２からブロック４０６に進み、第４ティアを選択する。ここで、同じ識別子を有し、マクロアクセスポイントをネイバーとして有するフェムトアクセスポイントのセットの各フェムトアクセスポイントに監視要求を送信する。上記のように、ただ１つの肯定応答が受信された場合は、混同が解決されたと考えられるが、複数の肯定応答が受信された場合は、さらなる処理を実行する。
【００７３】
ブロック４１４で表されるように、これらの動作の結果に基づいて、図４Ａの動作中のある時点で、データベースを更新することができる。たとえば、所与のアクセスポイントが第２ティア候補アクセスポイントとして識別された場合、対応するデータベースエントリを更新することができる。また、アクセス端末が特定のアクセスポイントにうまくハンドオーバされた場合、別のデータベースエントリを更新することができる。
【００７４】
場合によっては、複数のティアの動作を組み合わせることができる。たとえば、所与のティアにおける曖昧さを低減するか、候補アクセスポイントをプルーニングする(prune)か、または少なくとも１つの他のティアによって識別された候補アクセスポイントを再確認するために、候補アクセスポイントによって与えられる位相情報および／またはネイバーリストを、アクセス端末によって与えられる対応する情報と比較することができる。この場合、その比較は、（たとえば、三角測量技法を使用して）どのアクセスポイントがアクセス端末に最も近接しているかを判断するために使用できる。
【００７５】
上記の動作は、ネットワーク中の様々なエンティティによって実行できる。たとえば、いくつかの実装形態では、混同解決動作（たとえば、ブロック２０８、３１０、３１２、３２４、３２６、および４０６〜４１２のうちの１つまたは複数）は、ネットワーク中のフェムトアクセスポイントのセットためのモビリティ動作を管理するネットワークノード（たとえば、フェムトコンバージェンスサーバ（ＦＣＳ）またはフェムトモバイル交換センター（Ｆ−ＭＳＣ））によって実行できる。他の実装形態では、これらの動作のうちの１つまたは複数は、何らかの他のタイプのノード（たとえば、アクセスポイントコントローラまたはアクセスポイント）によって実行できる。
【００７６】
図５に、本明細書で教示する混同解決動作を実行するためにアクセスポイント５０２およびネットワークノード５０４などのノードに組み込むことができる、いくつかの例示的な構成要素を示す。説明する構成要素は、通信システム中の他のノードに組み込むこともできる。たとえば、システム中の他のノードは、同様の機能を提供するために、アクセスポイント５０２とネットワークノード５０４とに関して説明する構成要素と同様の構成要素を含むことができる。また、所与のノードは、説明する構成要素のうちの１つまたは複数を含むことができる。たとえば、アクセスポイントは、アクセスポイントが複数の周波数上で動作し、様々なタイプのリンク（たとえば、アップリンクおよびダウンリンク）上で動作し、様々な技術によって通信できるようにする複数のトランシーバ構成要素を含むことができる。
【００７７】
図５に示すように、アクセスポイント５０２は、他のノードとのワイヤレス通信を可能にするためのトランシーバ５０６を含む。トランシーバ５０６は、信号（たとえば、パイロット信号および他の信号）を送信するための送信機５０８と、信号（たとえば、測定報告および他の信号）を受信するための受信機５１０とを含む。
【００７８】
アクセスポイント５０２およびネットワークノード５０４は、それぞれ、他のネットワークノードと通信する（たとえば、監視要求および応答を送信および受信する）ためのネットワークインターフェース５１２および５１４を含む。たとえば、各ネットワークインターフェースは、ワイヤードまたはワイヤレスバックホールを介して１つまたは複数のネットワークノードと通信するように構成できる。
【００７９】
アクセスポイント５０２およびネットワークノード５０４は、本明細書で教示する混同解決動作と連携して使用できる他の構成要素をも含む。たとえば、アクセスポイント５０２およびネットワークノード５０４は、それぞれ、他のノードとの通信を管理する（たとえば、メッセージ、報告、応答、および他の情報を送信および受信する）ための、および本明細書で教示する他の関連する機能を与えるための通信コントローラ５１６および５１８を含むことができる。さらに、アクセスポイント５０２およびネットワークノード５０４は、それぞれ、ハンドオーバ関連動作を実行する（たとえば、ハンドオーバを実行すべきかどうか、およびハンドオーバをどのように実行するかを判断し、混同があるかどうかを判断し、混同を解決し、ハンドオーバのためのアクセスポイントを識別し、メッセージを送信および受信する）ための、および本明細書で教示する他の関連する機能を与えるためのハンドオーバコントローラ５２０および５２２を含むことができる。
【００８０】
図６を参照しながら、説明のために、３ＧＰＰ２システムの文脈でアクティブ状態ハンドオーバ（たとえば、ハンドイン）プロシージャについて詳細に説明する。本明細書の教示は、他のタイプのシステム（たとえば、ＬＴＥ、ＵＭＴＳなど）に適用可能であり得ることを諒解されたい。
【００８１】
最初に、ハンドオーバ刺激が、マクロ基地局コントローラ（ソースＢＳＣ）がアクセス端末（ＡＴ）からＰＳＭＭを受信することに関与し得る。この報告は、ＡＴがターゲットフェムトから捕捉したＰＮオフセットを含む。そのＰＮオフセットがフェムトアクセスポイントに関連すると判断すると、マクロネットワークは、ＰＮオフセットを解決して一意のターゲットＩＤ（たとえば、セルグローバル識別情報）にする際にフェムトシステム（たとえば、ターゲットＦＣＳ）の支援を要求することによって（たとえば、ソースＢＳＣおよびＭＳＣの動作によって）ハンドオーバを開始する。この要求（たとえば、要求されたフェムト監視）は、ＡＴによって報告されたＰＮオフセット、ＡＴのモバイル識別子、逆方向リンク上でＡＴによって使用されるロングコードマスク、サービングアクセスポイントの識別子（図６に図示せず）、および、随意に、他の情報（たとえば、本明細書で説明するネイバーリストなど）を含むことがある。
【００８２】
その要求に応答して、ターゲットＦＣＳは、そのＰＮオフセットを割り当てられた候補フェムトアクセスポイントについてデータベースルックアップを行う。このルックアップは、本明細書で教示する様々なパラメータ（たとえば、ホームフェムト識別子、使用情報、位相情報、ネイバーリスト）の使用に関与し得る。さらに、このルックアップは、本明細書で教示するティア化方式に関与し得る。したがって、ターゲットＦＣＳは、最初に、ホームフェムトアクセスポイントがティア１において混同を招く識別子を有するかどうかを判断し、次いで、前にＡＴによって使用されたいずれかのフェムトアクセスポイントがティア２において混同を招く識別子を有するかどうかを判断することができ、以下同様である。ＡＴが所与のフェムトアクセスポイントとソースＢＳＣとの間で繰り返しハンドオーバされた場合、このシナリオが検出され得、それにより、あるティア（たとえば、第２ティア）のセットが信号候補フェムトアクセスポイントに下げられ得る。
【００８３】
図６の例では、ターゲットＦＣＳは、逆方向リンクを監視する（たとえば、捕捉する）ための要求を３つのフェムトアクセスポイントに送信する。これらの要求の各々は、逆方向リンクのためのロングコードマスクを含む。次いで、それらのフェムトアクセスポイントは、ＡＴを検出するために逆方向リンクを監視する。ＡＴを検出したフェムトアクセスポイント（この例では２つのアクセスポイント）は、逆方向リンク上で信号測定を行う。
【００８４】
次に、それらのフェムトアクセスポイントの各々はターゲットＦＣＳに応答（たとえば、フェムト監視応答）を送信する。ＡＴを検出したフェムトアクセスポイントからの応答の各々は、そのフェムトアクセスポイントの識別子（たとえば、セルグローバル識別情報）と、監視が成功したという指示と、逆方向リンク信号測定値とを含む。ＡＴを検出しなかったフェムトアクセスポイントからの応答は、そのフェムトアクセスポイントの識別子と、監視が不成功だったという指示とを含むことがある。
【００８５】
ターゲットＦＣＳは、受信逆方向リンク信号測定値に基づいて、および／または何らかの他の１つまたは複数の基準で、ターゲットアクセスポイントを識別する。次いで、ターゲットＦＣＳは、他の２つのアクセスポイントがそれらのリソースを割振り解除することができるように、それらのアクセスポイントに消去コマンドを送信することができる。
【００８６】
ターゲットＦＣＳはまた、マクロネットワーク（たとえば、ソースＭＳＣ）に肯定応答（たとえば、フェムト監視ａｃｋ）を送信する。このメッセージは、たとえば、監視のステータス（たとえば、成功または失敗）、識別されたターゲットフェムトの識別子、ＡＴのモバイル識別子、および、随意に、他の情報を含むことができる。次いで、マクロネットワークは、ＡＴがターゲットフェムトアクセスポイントに向けられるように、ハンドオーバ動作を続けることができる。
【００８７】
上記に鑑みて、本明細書の教示に従って構成されたシステムによって様々な利点が与えられることがわかる。いくつかの態様では、そのようなシステムは、システムに過大な複雑さを追加することなしにスケーラビリティを与えることができる。たとえば、説明する方式は、フェムトアクセスポイントの大量展開を可能にし得、なぜなら、その大量展開により生じた識別子曖昧さは適切に解決できるからである。また、説明するハンドオーバプロシージャは、システムアーキテクチャおよびマクロシステムに対してほとんど影響を与えることなしに識別子曖昧さを解決することを可能にする。たとえば、過大なネットワークリソースの使用なしにハンドオーバを達成することができ、合理化されたシグナリングプロシージャを採用することができる。また、説明する混同解決方式をレガシーシステム上に実装するための、基地局または無線インターフェースの変更を必要としないことがある。たとえば、レガシー３ＧＰＰ２システムの場合、マクロシステム中のＡ／Ａｂｉｓインターフェースに対する影響がほとんどないか、またはまったくないことがあり、マクロシステムとフェムトシステムとの間に追加される２つの新しいメッセージのみ（たとえば、要求されたフェムト監視およびフェムト監視ａｃｋ）があり得、ＢＳＣプロシージャに対する大きな影響がないことがある。
【００８８】
上述のように、アクセス端末が前にアクセスしたアクセスポイントの記録を維持し、その情報を使用してハンドオーバのための１つまたは複数の候補アクセスポイントを識別することによって、所与のアクセス端末のハンドオーバに関連する混同が解決され得る。たとえば、アクセス端末ＸをマクロアクセスポイントＹからフェムトアクセスポイントＺにハンドオーバすべきであるが、（フェムトＺによってブロードキャストされた）ＰＣＩｚが混同を招くと判断されるという状況が起こり得る。ＰＣＩｚの混同を解決する多くの方法がある（たとえば、フェムトアクセスポイントＺのグローバルセルＩＤを報告するようにアクセス端末に依頼する）。混同が解決されると、マクロアクセスポイントＹは「アクセス端末ＸがマクロアクセスポイントＹからフェムトアクセスポイントＺに向かった」ことを知ることになる。実際問題として、所与のアクセス端末は、一般に、少数のフェムトアクセスポイントのみに関連するので、アクセス端末Ｘが将来この経路を反復する可能性は非常に高い。たとえば、アクセス端末Ｘが最後にはあるフェムトアクセスポイントに行き着くことになる時間の大部分は、アクセス端末Ｘが家に向かっているか、または好きなコーヒーショップに向かっているときである。そのような将来のイベントを予期するために、マクロアクセスポイントＹは、「アクセス端末Ｘの場合、ＰＣＩｚは一般にフェムトアクセスポイントＺにおさまる」ことを示す情報をキャッシュし得る。場合によっては、マクロアクセスポイントＹは、アクセス端末Ｘが、同じＰＣＩを割り当てられた複数のターゲットを訪問する傾向がある場合、いくつかの随意のフェムトアクセスポイントＺ１、Ｚ２、．．．Ｚｋに関する情報をキャッシュし得る。
【００８９】
次いで、マクロアクセスポイントＹは、アクセス端末Ｘが将来のある時点でＰＣＩｚを報告した場合、そのキャッシュされた情報を使用し得る。すなわち、マクロアクセスポイントＹが測定報告においてアクセス端末ＸからのＰＣＩｚを受信した場合、アクセス端末Ｘの過去の履歴が、フェムトアクセスポイントＺ（またはフェムトアクセスポイントＺ１、Ｚ２、．．．Ｚｋのうちの１つ）がおそらく意図されたターゲットであることを示すので、マクロアクセスポイントＹはフェムトアクセスポイントＺ（またはフェムトアクセスポイントＺ１、Ｚ２、．．．Ｚｋ）を準備する。そのような方式は、リソースまたは他の制約により多数のターゲットの準備が実現可能でないとき（すなわち、限られた数のターゲットのみを準備することが望ましい場合）に有用であり得る。
【００９０】
履歴ベースの方式は、マクロアクセスポイントが特定のアクセス端末Ｘの使用履歴を知らない場合も有用であることがある。たとえば、マクロアクセスポイントＹは、他のアクセス端末が、マクロアクセスポイントＹからハンドオーバされるときにどのくらい頻繁にターゲットフェムトアクセスポイントＺ１、Ｚ２、．．．Ｚｋを訪問する傾向があるかについての可能性に関して他のアクセス端末のためにキャッシュされた情報に基づく統計を使用し得る。この統計情報に基づいて、マクロアクセスポイントＹは、アクセス端末Ｘをハンドオーバすることを試みるときに、Ｚ１、Ｚ２、．．．Ｚｋのうちの１つまたは複数を準備し得る。マクロアクセスポイントＹが準備するそのようなフェムトアクセスポイントの数は、リソース制約によって、構成、または他の方法によって、制限され得る。
【００９１】
次に、このようなアクセス端末固有の使用ベースの混同解決を行うために実行できる例示的な動作について、図７〜図９のフローチャートに関連してある程度詳細に説明する。手短に言えば、図７では、アクセス端末をハンドオーバするためにソースアクセスポイントなどのノードにおいて実行できる動作について説明する。図８では、使用情報データベースを維持する（たとえば、作成し、更新する）ことに関連して実行できる動作について説明する。図９では、統計情報に基づいて混同を解決するために実行できる動作について説明する。
【００９２】
図７のブロック７０２で表されるように、ターゲットアクセスポイントを識別するためにアクセス端末によって使用される第１のアクセスポイント識別子（たとえば、ＰＣＩ）を、意図されたターゲットアクセスポイントをより一意に識別する別のアクセスポイント識別子（たとえば、ＣＧＩ）とマッピングするマッピングをある時点で判断する。上述のように、このマッピングは、アクセス端末に関して捕捉された使用履歴情報に基づき得る。たとえば、そのマッピングは、アクセス端末ＸがＰＣＩｚをマクロアクセスポイントＹに報告するとき、そのアクセス端末は、通常（または常に）フェムトアクセスポイントＺにハンドオーバされることを示すことができる。同様のマッピングは、このアクセス端末が、この同じ第１の識別子をもつ２つ以上のアクセスポイントにアクセスした状況において、そのアクセス端末のためにその同じ識別子に関して判断され得る（すなわち、他のフェムトアクセスポイントに関連する他の第２の識別子とのマッピング）。同様のマッピングはまた、このアクセス端末のために他の第１の識別子に関して判断され得る（すなわち、他の第２の識別子の別のセットとのマッピング）。さらに、同様のマッピングは、第１の識別子をマクロアクセスポイントＹに報告した他のアクセス端末のために判断され得る。
【００９３】
ブロック７０４で表されるように、ブロック７０２において判断された各マッピングを示す情報をメモリデバイスに記憶する。いくつかの実装形態では、ブロック７０２および７０４の動作は、ネットワーク中の各マクロアクセスポイントにおいて実行される。したがって、マッピング情報は、これらのマクロアクセスポイントの各々において維持され得る。
【００９４】
上記のマッピングを作成するために使用される使用履歴情報は、様々な方法で得ることができる。そのような情報を標準動作の過程でどのように得ることができるかに関するいくつかの例について、図８Ａ〜図８Ｃを参照しながら説明する。
【００９５】
図８Ａのブロック８０２で表されるように、アクセス端末がネットワーク全体にわたって移動するにつれて、アクセス端末は近接アクセスポイントから信号（たとえば、パイロット信号）を受信する。次いで、アクセス端末は、これらの信号の受信を（たとえば、測定報告を介して）そのサービングアクセスポイントに報告する。
【００９６】
場合によっては、アクセス端末は、近接アクセスポイントから２つ以上のタイプの識別子を捕捉することができる。たとえば、アクセス端末は、近接アクセスポイントからＰＣＩとＣＧＩの両方を捕捉することができる。そのような場合、アクセス端末は、これらの識別子の両方をアクセス端末のサービングアクセスポイントに報告することを選択することができる。
【００９７】
したがって、ブロック８０４で表されるように、サービングアクセスポイントは、その報告において与えられる識別子に基づいて、サービングアクセスポイントのデータベースを更新する。したがって、場合によっては、測定報告または何らかの他の同様の報告を介してアクセス端末によって与えられる識別子情報のみに基づいて、２つの識別子の間のアクセス端末固有のマッピングを判断することができる。
【００９８】
次に図８Ｂを参照すると、場合によっては、サービングアクセスポイントは、混同を解決するためにアクセス端末の支援を要求する。たとえば、ブロック８０６で表されるように、アクセス端末は、ターゲットアクセスポイントの第１の識別子（たとえば、ＰＣＩ）のみを含む測定報告（または何らかの他の報告）を与える。ブロック８０８で表されるように、サービングアクセスポイントは、この第１の識別子の使用に関連する混同があると判断し、混同を解決するためにターゲットアクセスポイントからの第２の識別子（たとえば、ＣＧＩなど、より一意の識別子）を監視するための要求をアクセス端末に送信する。（可能な場合は）この情報を捕捉すると、ブロック８１０において、アクセス端末は、要求された混同解決情報を（たとえば、ＣＧＩを含む別の測定報告を介して）サービングアクセスポイントに送信する。次いで、サービングアクセスポイントは、それらの報告において与えられる識別子に基づいて、サービングアクセスポイントのデータベースを更新する（ブロック８１２）。
【００９９】
図８Ｃに、ブロック８１４においてアクセス端末によって与えられる測定報告（または何らかの他の報告）がターゲットアクセスポイントの第１の識別子（たとえば、ＰＣＩ）のみを含む、別の場合を示す。この場合、サービングアクセスポイントは、この特定のアクセス端末が所与の識別子を報告したことを示す記録を維持するために、サービングアクセスポイントのデータベースを更新する（ブロック８１６）。
【０１００】
さらに、アクセス端末のためのサービングアクセスポイントは、この識別子に関連する混同があると判断する。ここで、アクセス端末は、アクセス端末を所望のターゲットにハンドオーバしようとして、この混同を解決するための適切なプロシージャを実行する（たとえば、本明細書で説明するように複数のターゲットをハンドオーバのために準備する）。
【０１０１】
ブロック８１８で表されるように、アクセス端末が、記録された第１の識別子をサービングアクセスポイントに報告した後に最後にはターゲットアクセスポイントに行き着くことになる場合、サービングアクセスポイントは、その識別子に関連する第２の識別子に関する情報を得る。たとえば、アクセス端末がターゲットアクセスポイントにうまくハンドオーバされた場合、サービングアクセスポイントは、ターゲットアクセスポイントの第２の識別子を与えるハンドオーバ関連メッセージ（たとえば、ハンドオーバ完了メッセージ）をターゲットアクセスポイントから受信する。したがって、このメッセージは、アクセス端末が所与の第１の識別子を報告するとき、アクセス端末が、最後には、第２の識別子を有するアクセスポイントにハンドオーバされることになると判断するために使用され得る。
【０１０２】
代替的に、場合によっては、アクセス端末は、第１の識別子を報告した後に無線リンク障害（ＲＬＦ）に遭遇し、ＲＬＦから回復した後に最後にはターゲットアクセスポイントに接続されることになる。これらの場合、サービングアクセスポイントは、アクセス端末が最後にはターゲットアクセスポイントに行き着くことになったことを示すメッセージ（たとえば、ＲＬＦ報告または明示的コンテキストフェッチ(explicit context fetch)）をターゲットアクセスポイントから受信する。いずれの場合も、サービングアクセスポイントは、受信したメッセージ中に含まれる第２の識別子に基づいてデータベースを更新する。
【０１０３】
再び図７を参照すると、ブロック７０２および７０４においてマッピング情報を維持した後のある時点で、ブロック７０６で表されるように、アクセス端末は識別子を報告する。ブロック７０８において、この識別子に関する混同がない場合、対応するターゲットアクセスポイントをアクセス端末のハンドオーバのために準備する（ブロック７１０）。
【０１０４】
ブロック７０８において、混同が識別された場合、ブロック７１２において、混同を解決するために、記憶されたマッピング情報を使用する。たとえば、上記で説明したように、アクセス端末がその識別子を報告した後に、一般に最後には行き着くことになるアクセスポイントは、候補アクセスポイントとして識別され得る。代替的に、アクセス端末が、様々な場合において、最後には、同じ第１の識別子を有するアクセスポイントのセットのうちの様々なアクセスポイントに行き着くことになった場合、そのセット中のアクセスポイントの各々は候補アクセスポイントとして識別され得る。このようにして、アクセス端末は、これらの候補アクセスポイントのうちの１つにうまくハンドオフされ得る。その場合、他の候補アクセスポイントは、アクセス端末が他の候補アクセスポイントにハンドオーバされていないと（たとえば、タイムアウト期間後に）判断すると、リソースを割振り解除し得る。
【０１０５】
ブロック７１４で表されるように、次いで、ブロック７１２において識別された（１つまたは複数の）候補アクセスポイントをアクセス端末のハンドオーバのために準備するための適切なメッセージを、それらの候補アクセスポイントの各々に送信する。いくつかの実装形態では、候補アクセスポイントのネイバーアクセスポイントをもアクセス端末のハンドオーバのために準備することができる。
【０１０６】
図９では、たとえば、ハンドオーバすべきアクセス端末のために利用可能な前の使用情報がない状況において実行できる例示的な動作について説明する。この場合、同じ識別子を使用したアクセス端末の履歴に基づく確率を使用することによって、混同解決を行う。
【０１０７】
ブロック９０２で表されるように、様々な時点で、ノード（たとえば、マクロアクセスポイント）は、そのノードのカバレージエリア中の様々なアクセス端末が、様々なターゲットアクセスポイントを識別するために同じ識別子（たとえば、ＰＣＩ）を使用することを示す情報を受信する。この情報は、たとえば、図８で説明したのと同様にして捕捉することができる。
【０１０８】
ブロック９０４で表されるように、ブロック９０２において捕捉された情報に基づいて統計情報を与え（たとえば、生成し）、それをメモリデバイスに記憶する。いくつかの実装形態では、その統計情報（たとえば、統計的分布）は、混同を招く識別子を有するアクセスポイントのうちの所与の１つが、その識別子を対象とする所与のハンドオーバ中の意図されたターゲットである確率を示す。たとえば、第１のアクセスポイントは、最後には、その識別子がマクロアクセスポイントに報告された時間のターゲット４０％となり得、第２のアクセスポイントは、最後には、同じ識別子がそのマクロアクセスポイントに報告された時間のターゲット３０％となり得、以下同様である。ここで、異なるアクセス端末は、異なるターゲットアクセスポイントを報告していることがあることに留意されたい。
【０１０９】
ブロック９０６で表されるように、ブロック９０２および９０４において統計情報を維持した後のある時点で、アクセス端末は同じ識別子を報告する。ブロック９０８および９１０で表されるように、このアクセス端末のためのマッピングが維持されている場合、（たとえば、図７において上記で説明したように）このアクセス端末に関する混同を解決するために、そのマッピングを使用する。
【０１１０】
ブロック９１２で表されるように、このアクセス端末のためのマッピングが維持されていない場合、このアクセス端末に関する混同を解決するために、記憶された統計情報を代わりに使用する。たとえば、統計情報により、１つのフェムトアクセスポイントが、最後には、混同を招く識別子がマクロアクセスポイントに報告された時間のターゲット９０％であることになることが示された場合は、このフェムトアクセスポイントをアクセス端末のハンドオーバのための候補アクセスポイントとして指定するための決定を行う。逆に、統計情報により、２つのフェムトアクセスポイントが、最後には、混同を招く識別子がこのマクロアクセスポイントに報告された時間のターゲット８５％であることになることが示された場合は、これらのフェムトアクセスポイントの各々をアクセス端末のハンドオーバのための候補アクセスポイントとして指定するための決定を行う。
【０１１１】
ブロック９１４で表されるように、次いで、ブロック９１２において識別された（１つまたは複数の）候補アクセスポイントをアクセス端末のハンドオーバのために準備するための適切なメッセージを、それらの候補アクセスポイントの各々に送信する。
【０１１２】
図１０に、本明細書で教示する混同解決動作を実行するためにアクセスポイント、ネットワークノード、または何らかの他のタイプのノードなど、（便宜上、ノード１０００によって表される）１つまたは複数のノードに組み込むことができる、いくつかの例示的な構成要素を示す。たとえば、ノード１０００は、他のノードとの通信を管理する（たとえば、メッセージ、報告、応答、識別子、および他の情報を送信および受信する）ための、および本明細書で教示する他の関連する機能を与えるための通信コントローラ１００２を含むことができる。さらに、ノード１０００は、ハンドオーバ関連動作を実行する（たとえば、ハンドオーバを実行すべきかどうか、およびハンドオーバをどのように実行するかを判断し、混同があるかどうかを判断し、混同を解決し、ハンドオーバのためのアクセスポイントを識別し、メッセージを送信および受信する）ための、および本明細書で教示する他の関連する機能を与えるためのハンドオーバコントローラ１００４を含むことができる。ノード１０００はまた、アクセス端末のためのマッピングを判断し、そのマッピングを示す情報を記憶するための、および本明細書で教示する他の関連する機能を与えるためのマッピングコントローラ１００６と、関連するメモリデバイス１００８とを含むことができる。また、いくつかの実装形態では、ノード１０００は、統計情報を与え（たとえば、捕捉し、計算する）、その統計情報を記憶するための、および本明細書で教示する他の関連する機能を与えるための統計コントローラ１０１０を含むことができる。
【０１１３】
便宜上、ノード１０００を、図７〜図９に関連して上記で説明した様々な例で使用できる構成要素を含むものとして図１０に示す。実際問題として、図示の構成要素のうちの１つまたは複数は、所与の例で使用されないこともある。一例として、いくつかの実装形態では、ノード１０００は統計コントローラ１０１０を備えないことがある。
【０１１４】
上記で説明したように、本明細書の教示は、大規模カバレージ（たとえば、一般にマクロセルネットワークまたはＷＡＮと呼ばれる３Ｇネットワークなどの広域セルラーネットワーク）と、より小規模のカバレージ（たとえば、一般にＬＡＮと呼ばれるレジデンスベースまたは建築物ベースのネットワーク環境）とを含むネットワークにおいて採用できる。アクセス端末（ＡＴ）がそのようなネットワーク中を移動するとき、アクセス端末は、いくつかのロケーションでは、マクロカバレージを与えるアクセスポイントによってサービスされ、他のロケーションでは、より小規模のカバレージを与えるアクセスポイントによってサービスされることがある。いくつかの態様では、より小さいカバレージノードを使用して、（たとえば、よりロバストなユーザ経験のために）増分キャパシティの増大と、屋内カバレージと、様々なサービスとを与えることができる。
【０１１５】
上記の説明の場合のように、相対的に広いエリアにわたるカバレージを与えるアクセスポイントをマクロアクセスポイントと呼び、比較的小さいエリア（たとえば、レジデンス）にわたるカバレージを与えるアクセスポイントをフェムトアクセスポイントと呼ぶことができる。本明細書の教示は、他のタイプのカバレージエリアに関連付けられたアクセスポイントに適用できる場合があることを諒解されたい。たとえば、ピコアクセスポイントは、マクロエリアよりも小さく、フェムトエリアよりも大きいエリアにわたるカバレージ（たとえば、商業建築物内のカバレージ）を与えることができる。様々な適用例では、マクロアクセスポイント、フェムトアクセスポイント、または他のアクセスポイントタイプのノードを指すために他の用語を使用することができる。たとえば、マクロアクセスポイントを、アクセスノード、基地局、アクセスポイント、ｅノードＢ、マクロセルなどとして構成し、またはそのように呼ぶことができる。また、フェムトアクセスポイントを、ホームノードＢ、ホームｅノードＢ、アクセスポイント基地局、フェムトセルなどとして構成し、またはそのように呼ぶことができる。いくつかの実装形態では、アクセスポイントを１つまたは複数のセルまたはセクタに関連付ける（たとえば、分割する）ことができる。マクロアクセスポイント、フェムトアクセスポイント、またはピコアクセスポイントに関連付けられたセルまたはセクタを、それぞれ、マクロセル、フェムトセル、またはピコセルと呼ぶことができる。
【０１１６】
図１１に、本明細書の教示を実装することができる、いくつかのユーザをサポートするように構成されたワイヤレス通信システム１１００の一例を示す。システム１１００は、たとえば、マクロセル１１０２Ａ〜１１０２Ｇなど、複数のセル１１０２の通信を可能にし、各セルは、対応するアクセスポイント１１０４（たとえば、アクセスポイント１１０４Ａ〜１１０４Ｇ）によってサービスされる。図１１に示すように、アクセス端末１１０６（たとえば、アクセス端末１１０６Ａ〜１１０６Ｌ）は、時間とともにシステム全体にわたって様々なロケーションに分散できる。各アクセス端末１１０６は、たとえば、アクセス端末１１０６がアクティブかどうか、およびアクセス端末１１０６がソフトハンドオフ中かどうかに応じて、所与の瞬間に順方向リンク（ＦＬ）および／または逆方向リンク（ＲＬ）上で１つまたは複数のアクセスポイント１１０４と通信することができる。ワイヤレス通信システム１１００は広い地理的領域にわたってサービスを提供することができる。たとえば、マクロセル１１０２Ａ〜１１０２Ｇは、近隣内の数ブロックまたは地方環境の数マイルをカバーすることができる。
【０１１７】
図１２に、１つまたは複数のフェムトアクセスポイントがネットワーク環境内に展開された例示的な通信システム１２００を示す。特に、システム１２００は、比較的小規模のネットワーク環境中に（たとえば、１つまたは複数のユーザレジデンス１２３０中に）設置された複数のフェムトアクセスポイント１２１０（たとえば、フェムトアクセスポイント１２１０Ａおよび１２１０Ｂ）を含む。各フェムトアクセスポイント１２１０は、ＤＳＬルータ、ケーブルモデム、ワイヤレスリンク、または他の接続手段（図示せず）を介して、ワイドエリアネットワーク１２４０（たとえば、インターネット）とモバイル事業者コアネットワーク１２５０とに結合できる。以下で説明するように、各フェムトアクセスポイント１２１０は、関連するアクセス端末１２２０（たとえば、アクセス端末１２２０Ａ）、および、随意に、他の（たとえば、ハイブリッドまたは外来）アクセス端末１２２０（たとえば、アクセス端末１２２０Ｂ）にサービスするように構成できる。言い換えれば、フェムトアクセスポイント１２１０へのアクセスを制限することができ、それによって、所与のアクセス端末１２２０を、指定された（１つまたは複数の）（たとえば、ホーム）フェムトアクセスポイント１２１０のセットがサービスすることはできるが、指定されていないフェムトアクセスポイント１２１０（たとえば、ネイバーのフェムトアクセスポイント１２１０）がサービスすることはできない。
【０１１８】
図１３に、いくつかの追跡エリア１３０２（またはルーティングエリアまたは位置登録エリア）が画定されたカバレージマップ１３００の例を示し、そのエリアの各々はいくつかのマクロカバレージエリア１３０４を含む。ここで、追跡エリア１３０２Ａ、１３０２Ｂ、および１３０２Ｃに関連付けられたカバレージのエリアは太線によって示され、マクロカバレージエリア１３０４は大きい六角形によって表される。追跡エリア１３０２はフェムトカバレージエリア１３０６をも含む。この例では、フェムトカバレージエリア１３０６の各々（たとえば、フェムトカバレージエリア１３０６Ｂおよび１３０６Ｃ）は、１つまたは複数のマクロカバレージエリア１３０４（たとえば、マクロカバレージエリア１３０４Ａおよび１３０４Ｂ）内に示されている。ただし、フェムトカバレージエリア１３０６の一部または全部がマクロカバレージエリア１３０４内にない場合があることを諒解されたい。実際問題として、多数のフェムトカバレージエリア１３０６（たとえば、フェムトカバレージエリア１３０６Ａおよび１３０６Ｄ）を所与の追跡エリア１３０２またはマクロカバレージエリア１３０４内に画定することができる。また、１つまたは複数のピコカバレージエリア（図示せず）を所与の追跡エリア１３０２またはマクロカバレージエリア１３０４内に画定することができる。
【０１１９】
再び図１２を参照すると、フェムトアクセスポイント１２１０の所有者は、たとえば、３Ｇモバイルサービスなど、モバイル事業者コアネットワーク１２５０を介して提供されるモバイルサービスに加入することができる。さらに、アクセス端末１２２０は、マクロ環境と、より小規模の（たとえば、宅内）ネットワーク環境の両方で動作することが可能であることがある。言い換えれば、アクセス端末１２２０の現在位置に応じて、アクセス端末１２２０は、モバイル事業者コアネットワーク１２５０に関連付けられたマクロセルアクセスポイント１２６０によって、または、フェムトアクセスポイント１２１０のセットのいずれか１つ（たとえば、対応するユーザレジデンス１２３０内に常駐するフェムトアクセスポイント１２１０Ａおよび１２１０Ｂ）によってサービスされることがある。たとえば、加入者は、自宅の外にいるときは標準のマクロアクセスポイント（たとえば、アクセスポイント１２６０）によってサービスされ、自宅の中にいるときはフェムトアクセスポイント（たとえば、アクセスポイント１２１０Ａ）によってサービスされる。ここで、フェムトアクセスポイント１２１０は、レガシーアクセス端末１２２０と後方互換性があることがある。
【０１２０】
フェムトアクセスポイント１２１０は、単一の周波数上に展開でき、または代替として、複数の周波数上に展開できる。特定の構成に応じて、単一の周波数、あるいは複数の周波数のうちの１つまたは複数は、マクロアクセスポイント（たとえば、アクセスポイント１２６０）によって使用される１つまたは複数の周波数と重なることがある。
【０１２１】
いくつかの態様では、アクセス端末１２２０は、そのような接続性が可能であるときはいつでも、好適なフェムトアクセスポイント（たとえば、アクセス端末１２２０のホームフェムトアクセスポイント）に接続するように構成できる。たとえば、アクセス端末１２２０Ａがユーザのレジデンス１２３０内にあるときはいつでも、アクセス端末１２２０Ａがホームフェムトアクセスポイント１２１０Ａまたは１２１０Ｂのみと通信することが望ましいだろう。
【０１２２】
いくつかの態様では、アクセス端末１２２０がマクロセルラーネットワーク１２５０内で動作しているが、（たとえば、好適ローミングリスト中で定義された）その最も好適なネットワーク上に常駐していない場合、アクセス端末１２２０は、ベターシステムリセレクション(Better System Reselection)（ＢＳＲ）を使用して、最も好適なネットワーク（たとえば、好適なフェムトアクセスポイント１２１０）を探索し続けることができ、それは、より良好なシステムが現在利用可能であるかどうかを判断するために利用可能なシステムの周期的スキャニングを行い、その後、そのような好適なシステムに関連付けようとすることができる。捕捉エントリを用いて、アクセス端末１２２０は、特定の帯域およびチャネルの探索を制限することができる。たとえば、１つまたは複数のフェムトチャネルが定義され、それにより、領域中のすべてのフェムトアクセスポイント（またはすべての制限付きフェムトアクセスポイント）は（１つまたは複数の）フェムトチャネル上で動作することができる。最も好適なシステムの探索を周期的に繰り返すことができる。好適なフェムトアクセスポイント１２１０が発見されると、アクセス端末１２２０は、そのカバレージエリア内にキャンプするためにフェムトアクセスポイント１２１０を選択する。
【０１２３】
フェムトアクセスポイントは、いくつかの態様では、制限されることがある。たとえば、所与のフェムトアクセスポイントは、いくつかのサービスをいくつかのアクセス端末のみに提供することができる。いわゆる制限（または限定）された関連付けを用いた展開では、所与のアクセス端末は、マクロセルモバイルネットワークと、フェムトアクセスポイントの定義されたセット（たとえば、対応するユーザレジデンス１２３０内に常駐するフェムトアクセスポイント１２１０）とによってのみサービスされ得る。いくつかの実装形態では、アクセスポイントは、少なくとも１つのノードにシグナリング、データアクセス、登録、ページング、またはサービスのうちの少なくとも１つを与えないように制限され得る。
【０１２４】
いくつかの態様では、（限定加入者グループホームノードＢと呼ばれることもある）制限付きフェムトアクセスポイントは、制限されたプロビジョニングされたアクセス端末のセットにサービスを提供するアクセスポイントである。このセットは、必要に応じて、一時的にまたは永続的に拡大できる。いくつかの態様では、限定加入者グループ（ＣＳＧ）は、アクセス端末の共通のアクセス制御リストを共有するアクセスポイント（たとえば、フェムトアクセスポイント）のセットとして定義できる。
【０１２５】
したがって、所与のフェムトアクセスポイントと所与のアクセス端末との間には様々な関係が存在する。たとえば、アクセス端末の観点から、オープンなフェムトアクセスポイントは、制限された関連付けをもたないフェムトアクセスポイントを指す（たとえば、そのフェムトアクセスポイントはすべてのアクセス端末へのアクセスを許す）。制限されたフェムトアクセスポイントは、何らかの形で制限された（たとえば、関連付けおよび／または登録について制限された）フェムトアクセスポイントを指す。ホームフェムトアクセスポイントは、アクセス端末がアクセスし、その上で動作することを許可される（たとえば、永続的なアクセスが、１つまたは複数のアクセス端末の定義されたセットに与えられる）フェムトアクセスポイントを指す。ゲストフェムトアクセスポイントは、アクセス端末がアクセスし、またはその上で動作することを一時的に許可されるフェムトアクセスポイントを指す。外来(alien)フェムトアクセスポイントは、おそらく非常事態（たとえば、９１１番）を除いて、アクセス端末がアクセスし、またはその上で動作することを許可されないフェムトアクセスポイントを指す。
【０１２６】
制限付きフェムトアクセスポイントの観点から、ホームアクセス端末は、制限付きフェムトアクセスポイントへのアクセスを許可されるアクセス端末を指す（たとえば、アクセス端末は、フェムトアクセスポイントへの永続的なアクセスを有する）。ゲストアクセス端末は、（たとえば、デッドライン、使用時間、バイト、接続回数、または何らかの他の１つまたは複数の基準に基づいて制限された）制限付きフェムトアクセスポイントへの一時的アクセスをもつアクセス端末を指す。外来アクセス端末は、たとえば、おそらく９１１番などの非常事態を除いて、制限付きフェムトアクセスポイントにアクセスする許可を有していないアクセス端末（たとえば、制限付きフェムトアクセスポイントに登録する証明書または許可を有していないアクセス端末）を指す。
【０１２７】
便宜上、本明細書の開示では、フェムトアクセスポイントの文脈で様々な機能について説明する。ただし、ピコアクセスポイントまたは何らかの他のタイプのノードは、異なる（たとえば、より大きい）カバレージエリアに同じまたは同様の機能を与えることができることを諒解されたい。たとえば、所与のアクセス端末に対して、ピコアクセスポイントを制限すること、ホームピコアクセスポイントを定義することなどが可能である。
【０１２８】
本明細書の教示は、複数のワイヤレスアクセス端末のための通信を同時にサポートするワイヤレス多元接続通信システムにおいて採用できる。ここで、各端末は、順方向リンクおよび逆方向リンク上の送信を介して１つまたは複数のアクセスポイントと通信することができる。順方向リンク（すなわち、ダウンリンク）は、アクセスポイントから端末への通信リンクを指し、逆方向リンク（すなわち、アップリンク）は、端末からアクセスポイントへの通信リンクを指す。この通信リンクは、単入力単出力システム、多入力多出力（ＭＩＭＯ）システム、または何らかの他のタイプのシステムを介して確立できる。
【０１２９】
ＭＩＭＯシステムは、データ送信のために複数（ＮＴ個）の送信アンテナと複数（ＮＲ個）の受信アンテナとを採用する。ＮＴ個の送信アンテナとＮＲ個の受信アンテナとによって形成されるＭＩＭＯチャネルは、空間チャネルと呼ばれることもあるＮＳ個の独立チャネルに分解でき、ここで、ＮＳ≦ｍｉｎ｛ＮＴ，ＮＲ｝である。ＮＳ個の独立チャネルの各々は１つの次元に対応する。複数の送信アンテナおよび受信アンテナによって作成された追加の次元数が利用された場合、ＭＩＭＯシステムは改善されたパフォーマンス（たとえば、より高いスループットおよび／またはより大きい信頼性）を与えることができる。
【０１３０】
ＭＩＭＯシステムは時分割複信（ＴＤＤ）および周波数分割複信（ＦＤＤ）をサポートすることができる。ＴＤＤシステムでは、順方向および逆方向リンク送信が同一周波数領域上で行われるので、相反定理による逆方向リンクチャネルからの順方向リンクチャネルの推定が可能である。これにより、複数のアンテナがアクセスポイントで利用可能なとき、アクセスポイントは順方向リンク上で送信ビームフォーミング利得を抽出することが可能になる。
【０１３１】
図１４に、例示的なＭＩＭＯシステム１４００のワイヤレスデバイス１４１０（たとえば、アクセスポイント）およびワイヤレスデバイス１４５０（たとえば、アクセス端末）を示す。デバイス１４１０では、いくつかのデータストリームのトラフィックデータが、データソース１４１２から送信（「ＴＸ」）データプロセッサ１４１４に供給される。各データストリームは、次いで、それぞれの送信アンテナを介して送信できる。
【０１３２】
ＴＸデータプロセッサ１４１４は、符号化データを与えるために、そのデータストリーム用に選択された特定の符号化方式に基づいて、データストリームごとにトラフィックデータをフォーマッティングし、符号化し、インターリーブする。各データストリームの符号化データは、ＯＦＤＭ技法を使用してパイロットデータで多重化できる。パイロットデータは、典型的には、知られている方法で処理され、チャネル応答を推定するために受信機システムにおいて使用できる知られているデータパターンである。次いで、各データストリームの多重化されたパイロットデータおよび符号化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、符号化、および変調は、プロセッサ１４３０によって実行される命令によって判断できる。データメモリ１４３２は、プロセッサ１４３０またはデバイス１４１０の他の構成要素によって使用されるプログラムコード、データ、および他の情報を記憶することができる。
【０１３３】
次いで、すべてのデータストリームの変調シンボルがＴＸ  ＭＩＭＯプロセッサ１４２０に供給され、ＴＸ  ＭＩＭＯプロセッサ１４２０はさらに（たとえば、ＯＦＤＭ用に）その変調シンボルを処理することができる。次いで、ＴＸ  ＭＩＭＯプロセッサ１４２０は、ＮＴ個の変調シンボルストリームをＮＴ個のトランシーバ（「ＸＣＶＲ」）１４２２Ａ〜１４２２Ｔに供給する。いくつかの態様では、ＴＸ  ＭＩＭＯプロセッサ１４２０は、データストリームのシンボルと、シンボルの送信元のアンテナとにビームフォーミング重みを付加する。
【０１３４】
各トランシーバ１４２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。次いで、トランシーバ１４２２Ａ〜１４２２ＴからのＮＴ個の変調信号は、それぞれ、ＮＴ個のアンテナ１４２４Ａ〜１４２４Ｔから送信される。
【０１３５】
デバイス１４５０では、送信された変調信号はＮＲ個のアンテナ１４５２Ａ〜１４５２Ｒによって受信され、各アンテナ１４５２からの受信信号は、それぞれのトランシーバ（「ＸＣＶＲ」）１４５４Ａ〜１４５４Ｒに供給される。各トランシーバ１４５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【０１３６】
次いで、受信（「ＲＸ」）データプロセッサ１４６０は、特定の受信機処理技法に基づいてＮＲ個のトランシーバ１４５４からＮＲ個の受信シンボルストリームを受信し、処理して、ＮＴ個の「検出」シンボルストリームを与える。次いで、ＲＸデータプロセッサ１４６０は、各検出シンボルストリームを復調し、デインターリーブし、復号して、データストリームに対するトラフィックデータを復元する。ＲＸデータプロセッサ１４６０による処理は、デバイス１４１０におけるＴＸ  ＭＩＭＯプロセッサ１４２０およびＴＸデータプロセッサ１４１４によって実行される処理を補足するものである。
【０１３７】
プロセッサ１４７０は、どのプリコーディング行列を使用すべきかを周期的に判断する（後述）。プロセッサ１４７０は、行列インデックス部とランク値部とを備える逆方向リンクメッセージを作成する。データメモリ１４７２は、プロセッサ１４７０またはデバイス１４５０の他の構成要素によって使用されるプログラムコード、データ、および他の情報を記憶することができる。
【０１３８】
逆方向リンクメッセージは、通信リンクおよび／または受信データストリームに関する様々なタイプの情報を備えることができる。次いで、逆方向リンクメッセージは、データソース１４３６からいくつかのデータストリームのトラフィックデータをも受信するＴＸデータプロセッサ１４３８によって処理され、変調器１４８０によって変調され、トランシーバ１４５４Ａ〜１４５４Ｒによって調整され、デバイス１４１０に戻される。
【０１３９】
デバイス１４１０では、デバイス１４５０からの変調信号は、アンテナ１４２４によって受信され、トランシーバ１４２２によって調整され、復調器（「ＤＥＭＯＤ」）１４４０によって復調され、ＲＸデータプロセッサ１４４２によって処理されて、デバイス１４５０によって送信された逆方向リンクメッセージが抽出される。次いで、プロセッサ１４３０は、ビームフォーミング重み付けを判断するためにどのプリコーディング行列を使用すべきかを判断し、次いで、抽出されたメッセージを処理する。
【０１４０】
図１４はまた、通信構成要素が、本明細書で教示するハンドオーバ制御動作を実行する１つまたは複数の構成要素を含むことができることを示す。たとえば、ハンドオーバ制御構成要素１４９０は、プロセッサ１４３０および／またはデバイス１４１０の他の構成要素と協働して、本明細書で教示する別のデバイス（たとえば、デバイス１４５０）との間で信号を送信／受信することができる。同様に、ハンドオーバ制御構成要素１４９２は、プロセッサ１４７０および／またはデバイス１４５０の他の構成要素と協働して、別のデバイス（たとえば、デバイス１４１０）との間で信号を送信／受信することができる。各デバイス１４１０および１４５０について、説明する構成要素の２つ以上の機能が単一の構成要素によって提供できることを諒解されたい。たとえば、単一の処理構成要素がハンドオーバ制御構成要素１４９０およびプロセッサ１４３０の機能を提供し、また、単一の処理構成要素がハンドオーバ制御構成要素１４９２およびプロセッサ１４７０の機能を提供することができる。
【０１４１】
本明細書の教示は、様々なタイプの通信システムおよび／またはシステム構成要素に組み込むことができる。いくつかの態様では、本明細書の教示は、利用可能なシステムリソースを共有することによって（たとえば、帯域幅、送信電力、符号化、インターリーブなどのうちの１つまたは複数を指定することによって）、複数のユーザとの通信をサポートすることが可能な多元接続システムにおいて採用できる。たとえば、本明細書の教示は、符号分割多元接続（「ＣＤＭＡ」）システム、多重キャリアＣＤＭＡ（「ＭＣＣＤＭＡ」）、Ｗｉｄｅｂａｎｄ  ＣＤＭＡ（「Ｗ−ＣＤＭＡ」）、高速パケットアクセス（「ＨＳＰＡ」、「ＨＳＰＡ＋」）システム、時分割多元接続（「ＴＤＭＡ」）システム、周波数分割多元接続（「ＦＤＭＡ」）システム、シングルキャリアＦＤＭＡ（「ＳＣ−ＦＤＭＡ」）システム、直交周波数分割多元接続（「ＯＦＤＭＡ」）システム、または他の多元接続技法の技術のいずれか１つまたは組合せに適用できる。本明細書の教示を採用するワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計できる。ＣＤＭＡネットワークは、ユニバーサル地上波無線アクセス（Universal Terrestrial Radio Access）（「ＵＴＲＡ」）、ｃｄｍａ２０００、または何らかの他の技術などの無線技術を実装することができる。ＵＴＲＡは、Ｗ−ＣＤＭＡおよび低チップレート（「ＬＣＲ」）を含む。ｃｄｍａ２０００技術は、ＩＳ−２０００、ＩＳ−９５、およびＩＳ−８５６規格をカバーする。ＴＤＭＡネットワークは、モバイル通信のためのグローバルシステム(Global System for Mobile Communications)（「ＧＳＭ（登録商標）」）などの無線技術を実装することができる。ＯＦＤＭＡネットワークは、Ｅｖｏｌｖｅｄ  ＵＴＲＡ（「Ｅ−ＵＴＲＡ」）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することができる。ＵＴＲＡ、Ｅ−ＵＴＲＡ、およびＧＳＭは、ユニバーサルモバイルテレコミュニケーションシステム（Universal Mobile Telecommunication System）（「ＵＭＴＳ」）の一部である。本明細書の教示は、３ＧＧロングタームエボリューション（3GPP Long Term Evolution）（「ＬＴＥ」）システム、ウルトラモバイルブロードバンド（Ultra Mobile Broadband）（「ＵＭＢ」）システム、および他のタイプのシステムで実装できる。ＬＴＥは、Ｅ−ＵＴＲＡを使用するＵＭＴＳのリリースである。本開示のいくつかの態様については、３ＧＰＰ用語を使用して説明するが、本明細書の教示は、３ＧＰＰ（Ｒｅｌ９９、Ｒｅｌ５、Ｒｅｌ６、Ｒｅｌ７）技術、ならびに３ＧＰＰ２（１ｘＲＴＴ、１ｘＥＶ−ＤＯ  Ｒｅｌ０、ＲｅｖＡ、ＲｅｖＢ）技術および他の技術に適用できることを理解されたい。
【０１４２】
本明細書の教示は、様々な装置（たとえば、ノード）に組み込む（たとえば、装置内に実装する、または装置によって実行する）ことができる。いくつかの態様では、本明細書の教示に従って実装されるノード（たとえば、ワイヤレスノード）はアクセスポイントまたはアクセス端末を備えることができる。
【０１４３】
たとえば、アクセス端末は、ユーザ機器、加入者局、加入者ユニット、移動局、モバイル、モバイルノード、リモート局、リモート端末、ユーザ端末、ユーザエージェント、ユーザデバイス、または何らかの他の用語を備えるか、それらのいずれかとして実装されるか、あるいはそれらのいずれかとして知られる。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、またはワイヤレスモデムに接続された何らかの他の好適な処理デバイスを備えることができる。したがって、本明細書で教示する１つまたは複数の態様は、電話（たとえば、セルラー電話またはスマートフォン）、コンピュータ（たとえば、ラップトップ）、ポータブル通信デバイス、ポータブルコンピューティングデバイス（たとえば、個人情報端末）、娯楽デバイス（たとえば、音楽デバイス、ビデオデバイス、または衛星ラジオ）、全地球測位システムデバイス、あるいはワイヤレス媒体を介して通信するように構成された他の好適デバイスに組み込むことができる。
【０１４４】
アクセスポイントは、ノードＢ、ｅノードＢ、無線ネットワーク制御装置（「ＲＮＣ」）、基地局（「ＢＳ」）、無線基地局（「ＲＢＳ」）、基地局コントローラ（「ＢＳＣ」）、送受信基地局（「ＢＴＳ」）、トランシーバ機能（「ＴＦ」）、無線トランシーバ、無線ルータ、基本サービスセット（「ＢＳＳ」）、拡張サービスセット（「ＥＳＳ」）、マクロセル、マクロノード、ホームｅＮＢ（「ＨｅＮＢ」）、フェムトセル、フェムトアクセスポイント、ピコアクセスポイント、または何らかの他の同様の用語を備えるか、それらのいずれかとして実装されるか、あるいはそれらのいずれかとして知られる。
【０１４５】
いくつかの態様では、ノード（たとえば、アクセスポイント）は、通信システムのためのアクセスノードを備えることができる。そのようなアクセスノードは、たとえば、ネットワークへのワイヤードまたはワイヤレス通信リンクを介した、ネットワーク（たとえば、インターネットまたはセルラーネットワークなどワイドエリアネットワーク）のための、またはネットワークへの接続性を与えることができる。したがって、アクセスノードは、別のノード（たとえば、アクセス端末）がネットワークまたは何らかの他の機能にアクセスできるようにすることができる。さらに、一方または両方のノードはポータブルでも、場合によっては比較的非ポータブルでもよいことを諒解されたい。
【０１４６】
また、ワイヤレスノードは、非ワイヤレス方式で（たとえば、ワイヤード接続を介して）情報を送信および／または受信することができることを諒解されたい。したがって、本明細書で説明する受信機および送信機は、非ワイヤレス媒体を介して通信するために適切な通信インターフェース構成要素（たとえば、電子的または光学的インターフェース構成要素）を含むことができる。
【０１４７】
ワイヤレスノードは、好適なワイヤレス通信技術に基づくあるいはサポートする１つまたは複数のワイヤレス通信リンクを介して通信することができる。たとえば、いくつかの態様では、ワイヤレスノードはネットワークに関連付けることができる。いくつかの態様では、ネットワークはローカルエリアネットワークまたはワイドエリアネットワークを備えることができる。ワイヤレスデバイスは、本明細書で説明する様々なワイヤレス通信技術、プロトコル、または規格（たとえば、ＣＤＭＡ、ＴＤＭＡ、ＯＦＤＭ、ＯＦＤＭＡ、ＷｉＭＡＸ、Ｗｉ−Ｆｉなど）のうちの１つまたは複数をサポートまたは使用することができる。同様に、ワイヤレスノードは、様々な対応する変調方式または多重化方式のうちの１つまたは複数をサポートまたは使用することができる。したがって、ワイヤレスノードは、上記または他のワイヤレス通信技術を使用して１つまたは複数のワイヤレス通信リンクを確立し、それを介して通信するために適切な構成要素（たとえば、エアインターフェース）を含むことができる。たとえば、ワイヤレスノードは、ワイヤレス媒体上の通信を可能にする様々な構成要素（たとえば、信号生成器および信号プロセッサ）を含むことができる関連する送信機構成要素および受信機構成要素をもつワイヤレストランシーバを備えることができる。
【０１４８】
（たとえば、添付の図の１つまたは複数に関して）本明細書で説明した機能は、いくつかの態様では、添付の特許請求の範囲において同様に指定された「手段」機能に対応することがある。図１５〜図１９を参照すると、装置１５００、１６００、１７００、１８００、および１９００が、一連の相互に関連する機能モジュールとして表されている。ここで、メッセージ送信モジュール１５０２は、少なくともいくつかの態様では、たとえば、本明細書で説明するハンドオーバコントローラに対応することがある。受信モジュール１５０４は、少なくともいくつかの態様では、たとえば、本明細書で説明する通信コントローラに対応することがある。アクセスポイント識別モジュール１５０６は、少なくともいくつかの態様では、たとえば、本明細書で説明するハンドオーバコントローラに対応することがある。アクセスポイント選択モジュール１５０８は、少なくともいくつかの態様では、たとえば、本明細書で説明するハンドオーバコントローラに対応することがある。受信モジュール１６０２は、少なくともいくつかの態様では、たとえば、本明細書で説明する通信コントローラに対応することがある。監視モジュール１６０４は、少なくともいくつかの態様では、たとえば、本明細書で説明する受信機に対応することがある。送信モジュール１６０６は、少なくともいくつかの態様では、たとえば、本明細書で説明する通信コントローラに対応することがある。マッピング判断モジュール１７０２は、少なくともいくつかの態様では、たとえば、本明細書で説明するマッピングコントローラに対応することがある。情報記憶モジュール１７０４は、少なくともいくつかの態様では、たとえば、本明細書で説明するメモリデバイスに対応することがある。受信モジュール１７０６は、少なくともいくつかの態様では、たとえば、本明細書で説明する通信コントローラに対応することがある。混同判断モジュール１７０８は、少なくともいくつかの態様では、たとえば、本明細書で説明するハンドオーバコントローラに対応することがある。情報使用モジュール１７１０は、少なくともいくつかの態様では、たとえば、本明細書で説明するハンドオーバコントローラに対応することがある。送信モジュール１７１２は、少なくともいくつかの態様では、たとえば、本明細書で説明するハンドオーバコントローラに対応することがある。アクセスポイント識別モジュール１７１４は、少なくともいくつかの態様では、たとえば、本明細書で説明するハンドオーバコントローラに対応することがある。受信モジュール１８０２は、少なくともいくつかの態様では、たとえば、本明細書で説明する通信コントローラに対応することがある。アクセスポイント識別モジュール１８０４は、少なくともいくつかの態様では、たとえば、本明細書で説明するハンドオーバコントローラに対応することがある。送信モジュール１８０６は、少なくともいくつかの態様では、たとえば、本明細書で説明するハンドオーバコントローラに対応することがある。混同判断モジュール１８０８は、少なくともいくつかの態様では、たとえば、本明細書で説明するハンドオーバコントローラに対応することがある。情報使用モジュール１８１０は、少なくともいくつかの態様では、たとえば、本明細書で説明するハンドオーバコントローラに対応することがある。受信モジュール１９０２は、少なくともいくつかの態様では、たとえば、本明細書で説明する通信コントローラに対応することがある。情報記憶モジュール１９０４は、少なくともいくつかの態様では、たとえば、本明細書で説明する統計コントローラに対応することがある。情報使用モジュール１９０６は、少なくともいくつかの態様では、たとえば、本明細書で説明するハンドオーバコントローラに対応することがある。送信モジュール１９０８は、少なくともいくつかの態様では、たとえば、本明細書で説明するハンドオーバコントローラに対応することがある。マッピング判断モジュール１９１０は、少なくともいくつかの態様では、たとえば、本明細書で説明するハンドオーバコントローラに対応することがある。情報使用判断モジュール１９１２は、少なくともいくつかの態様では、たとえば、本明細書で説明するハンドオーバコントローラに対応することがある。
【０１４９】
図１５〜図１９のモジュールの機能は、本明細書の教示に合致する様々な方法で実装できる。いくつかの態様では、これらのモジュールの機能は、１つまたは複数の電気構成要素として実装できる。いくつかの態様では、これらのブロックの機能は、１つまたは複数のプロセッサ構成要素を含む処理システムとして実装できる。いくつかの態様では、これらのモジュールの機能は、たとえば、１つまたは複数の集積回路（たとえば、ＡＳＩＣ）の少なくとも一部を使用して実装できる。本明細書で説明するように、集積回路は、プロセッサ、ソフトウェア、他の関連する構成要素、またはそれらの何らかの組合せを含むことができる。これらのモジュールの機能は、本明細書で教示する方法とは別の何らかの方法で実装することもできる。いくつかの態様では、図１５〜図１９中の破線ブロックのうちの１つまたは複数は随意である。
【０１５０】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用できる。したがって、第１および第２の要素への言及は、そこで２つの要素のみが使用できること、または第１の要素が何らかの方法で第２の要素に先行しなければならないことを意味するものではない。また、別段の規定がない限り、要素のセットは１つまたは複数の要素を備えることがある。さらに、明細書または特許請求の範囲において使用される「Ａ、Ｂ、またはＣのうちの少なくとも１つ」という形式の用語は、「ＡまたはＢまたはＣ、あるいはこれらの要素の任意の組合せ」を意味する。
【０１５１】
情報および信号は様々な異なる技術および技法のいずれかを使用して表すことができることを、当業者は理解されよう。たとえば、上記の説明全体にわたって言及されるデータ、命令、コマンド、情報、信号、ビット、シンボル、およびチップは、電圧、電流、電磁波、磁界または磁性粒子、光場または光学粒子、あるいはそれらの任意の組合せによって表すことができる。
【０１５２】
さらに、本明細書で開示した態様に関して説明した様々な例示的な論理ブロック、モジュール、プロセッサ、手段、回路、およびアルゴリズムステップのいずれかは、電子ハードウェア（たとえば、ソースコーディングまたは何らかの他の技法を使用して設計できる、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいは両方の組合せとして実装できることを当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができるが、そのような実装の決定は、本開示の範囲からの逸脱を生じるものと解釈すべきではない。
【０１５３】
本明細書で開示した態様に関して説明した様々な例示的な論理ブロック、モジュール、および回路は、集積回路（「ＩＣ」）、アクセス端末、またはアクセスポイント内に実装できるか、またはそれらによって実行できる。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタロジック、個別ハードウェア構成要素、電気構成要素、光学的構成要素、機械的構成要素、または本明細書に記載の機能を実行するように設計されたそれらの任意の組合せを備えることができ、ＩＣの内部に、ＩＣの外側に、またはその両方に常駐するコードまたは命令を実行することができる。汎用プロセッサはマイクロプロセッサとすることができるが、代替として、プロセッサは、任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【０１５４】
開示したプロセス中のステップの特定の順序または階層は例示的な手法の一例であることを理解されたい。設計の選好に基づいて、プロセス中のステップの特定の順序または階層は本開示の範囲内のまま再構成できることを理解されたい。添付の方法クレームは、様々なステップの要素を例示的な順序で提示したものであり、提示された特定の順序または階層に限定されるものではない。
【０１５５】
１つまたは複数の例示的な実施形態では、説明した機能はハードウェア、ソフトウェア、ファームウェア、またはそれらの任意の組合せで実装できる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を可能にする任意の媒体を含む、コンピュータ記憶媒体とコンピュータ通信媒体の両方を含む記憶媒体は、コンピュータによってアクセスできる任意の利用可能な媒体でよい。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気記憶デバイス、または命令もしくはデータ構造の形態の所望のプログラムコードを搬送または記憶するために使用でき、コンピュータによってアクセスできる任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。コンピュータ可読媒体は任意の好適なコンピュータプログラム製品に実装できることを諒解されたい。
【０１５６】
開示した態様の前述の説明は、当業者が本開示を実施または使用できるようにするために提供されるものである。これらの態様への様々な変更は当業者には容易に明らかになり、本明細書で定義された一般原理は本開示の範囲から逸脱することなく他の態様に適用できる。したがって、本開示は、本明細書で示した態様に限定されるものではなく、本明細書で開示した原理および新規の特徴に一致する最も広い範囲を与えられるべきである。
【図１】
2013158022.tif 000003
【図２】
2013158022.tif 000004
【図３Ａ】
2013158022.tif 000005
【図３Ｂ】
2013158022.tif 000006
【図４Ａ】
2013158022.tif 000007
【図４Ｂ】
2013158022.tif 000008
【図５】
2013158022.tif 000009
【図６】
2013158022.tif 000010
【図７】
2013158022.tif 000011
【図８Ａ】
2013158022.tif 000012
【図８Ｂ】
2013158022.tif 000013
【図８Ｃ】
2013158022.tif 000014
【図９】
2013158022.tif 000015
【図１０】
2013158022.tif 000016
【図１１】
2013158022.tif 000017
【図１２】
2013158022.tif 000018
【図１３】
2013158022.tif 000019
【図１４】
2013158022.tif 000020
【図１５】
2013158022.tif 000021
【図１６】
2013158022.tif 000022
【図１７】
2013158022.tif 000023
【図１８】
2013158022.tif 000024
【図１９】
2013158022.tif 000025
【手続補正書】
【提出日】平成25年4月16日(2013.4.16)
【手続補正１】
【補正対象書類名】特許請求の範囲
【補正対象項目名】全文
【補正方法】変更
【補正の内容】
【特許請求の範囲】
【請求項１】
アクセス端末によって捕捉されたアクセスポイント識別子の指示を受信することと、
前記アクセスポイント識別子と、前記アクセス端末に関連するマッピングを示す記憶された情報とに基づいて、少なくとも１つのアクセスポイントを識別することと、ここで、前記マッピングは前記アクセスポイント識別子を前記少なくとも１つの他のアクセスポイントに関係づける、
前記少なくとも１つのアクセスポイントを前記アクセス端末のハンドオーバのために準備するための少なくとも１つのメッセージを前記少なくとも１つのアクセスポイントに送信することと、
を備える、通信の方法。
【請求項２】
前記記憶された情報は前記アクセス端末が前に前記少なくとも１つのアクセスポイントにアクセスしたことを示す、請求項１に記載の方法。
【請求項３】
前記アクセスポイント識別子に関連するアクセスポイント混同があると判断することと、
前記混同を解決するために、前記記憶された情報を使用することと、
をさらに備える、請求項１に記載の方法。
【請求項４】
前記少なくとも１つのアクセスポイントは少なくとも１つのフェムトアクセスポイントを備え、
前記アクセスポイント識別子は前記アクセス端末のためのサービングマクロアクセスポイントにおいて受信され、
前記情報は前記マクロアクセスポイントにおいて記憶される、
請求項１に記載の方法。
【請求項５】
前記アクセスポイント識別子の前記指示は前記アクセス端末によって送信された測定報告を介して前記マクロアクセスポイントにおいて受信される、請求項１に記載の方法。
【請求項６】
前記アクセスポイント識別子はパイロット擬似雑音オフセットまたは物理セル識別子を備える、請求項１に記載の方法。
【請求項７】
前記アクセスポイント識別子は物理セル識別子を備え、
前記記憶された情報は前記アクセスポイント識別子を少なくとも１つのグローバルセル識別子にマッピングする、
請求項１に記載の方法。
【請求項８】
アクセス端末によって捕捉されたアクセスポイント識別子の指示を受信するように構成された通信コントローラと、
前記アクセスポイント識別子と、前記アクセス端末に関連するマッピングを示す記憶された情報とに基づいて、少なくとも１つのアクセスポイントを識別するように構成されたハンドオーバコントローラと、ここで、前記マッピングは前記アクセスポイント識別子を前記少なくとも１つの他のアクセスポイントに関係づけ、前記ハンドオーバコントローラは前記少なくとも１つのアクセスポイントを前記アクセス端末のハンドオーバのために準備するための少なくとも１つのメッセージを前記少なくとも１つのアクセスポイントに送信するようにさらに構成されている、
を備える、通信のための装置。
【請求項９】
前記記憶された情報は前記アクセス端末が前に前記少なくとも１つのアクセスポイントにアクセスしたことを示す、請求項８に記載の装置。
【請求項１０】
前記ハンドオーバコントローラは、
前記アクセスポイント識別子に関連するアクセスポイント混同があると判断することと、
前記混同を解決するために、前記記憶された情報を使用することと、
を行うようにさらに構成された、請求項８に記載の装置。
【請求項１１】
前記少なくとも１つのアクセスポイントは少なくとも１つのフェムトアクセスポイントを備え、
前記アクセスポイント識別子は前記アクセス端末のためのサービングマクロアクセスポイントにおいて受信され、
前記情報は前記マクロアクセスポイントにおいて記憶される、
請求項８に記載の装置。
【請求項１２】
アクセス端末によって捕捉されたアクセスポイント識別子の指示を受信するための手段と、
前記アクセスポイント識別子と、前記アクセス端末に関連するマッピングを示す記憶された情報とに基づいて、少なくとも１つのアクセスポイントを識別するための手段と、ここで、前記マッピングは前記アクセスポイント識別子を前記少なくとも１つの他のアクセスポイントに関係づけ、
前記少なくとも１つのアクセスポイントを前記アクセス端末のハンドオーバのために準備するための少なくとも１つのメッセージを前記少なくとも１つのアクセスポイントに送信するための手段と、
を備える、通信のための装置。
【請求項１３】
前記記憶された情報は前記アクセス端末が前に前記少なくとも１つのアクセスポイントにアクセスしたことを示す、請求項１２に記載の装置。
【請求項１４】
前記アクセスポイント識別子に関連するアクセスポイント混同があると判断するための手段と、
前記混同を解決するために、前記記憶された情報を使用するための手段と、
をさらに備える、請求項１２に記載の装置。
【請求項１５】
前記少なくとも１つのアクセスポイントは少なくとも１つのフェムトアクセスポイントを備え、
前記アクセスポイント識別子は前記アクセス端末のためのサービングマクロアクセスポイントにおいて受信され、
前記情報は前記マクロアクセスポイントにおいて記憶される、
請求項１２に記載の装置。
【請求項１６】
アクセス端末によって捕捉されたアクセスポイント識別子の指示を受信することと、
前記アクセスポイント識別子と、前記アクセス端末に関連するマッピングを示す記憶された情報とに基づいて、少なくとも１つのアクセスポイントを識別することと、ここで、前記マッピングは前記アクセスポイント識別子を前記少なくとも１つの他のアクセスポイントに関係づける、
前記少なくとも１つのアクセスポイントを前記アクセス端末のハンドオーバのために準備するための少なくとも１つのメッセージを前記少なくとも１つのアクセスポイントに送信することと、
をコンピュータに行わせるためのコードを備えるコンピュータ可読媒体を備える、コンピュータプログラム製品。
【請求項１７】
前記記憶された情報は前記アクセス端末が前に前記少なくとも１つのアクセスポイントにアクセスしたことを示す、請求項１６に記載のコンピュータプログラム製品。
【請求項１８】
前記コンピュータ可読媒体は、
前記アクセスポイント識別子に関連するアクセスポイント混同があると判断することと、
前記混同を解決するために、前記記憶された情報を使用することと、
を前記コンピュータに行わせるためのコードをさらに備える、請求項１６に記載のコンピュータプログラム製品。
【請求項１９】
前記少なくとも１つのアクセスポイントは少なくとも１つのフェムトアクセスポイントを備え、
前記アクセスポイント識別子は前記アクセス端末のためのサービングマクロアクセスポイントにおいて受信され、
前記情報は前記マクロアクセスポイントにおいて記憶される、
請求項１６に記載のコンピュータプログラム製品。
【請求項２０】
第１のアクセスポイントからのハンドオーバ中に複数のアクセスポイントを識別するために共通識別子が使用されることを示す情報を受信することと、
前記アクセスポイントのうちの所与の１つが前記第１のアクセスポイントからのハンドオーバ中にノード識別子によって識別される確率を示す統計情報を与えることと、
を備える、通信の方法。
【請求項２１】
前記識別子をアクセス端末から受信することと、
前記複数のアクセスポイントから、前記第１のアクセスポイントから前記アクセス端末をハンドオーバするための少なくとも１つの候補ターゲットアクセスポイントを識別するために、前記統計情報を使用することと、
をさらに備える、請求項２０に記載の方法。
【請求項２２】
前記少なくとも１つの候補ターゲットアクセスポイントを前記アクセス端末のハンドオーバのために準備するための少なくとも１つのメッセージを送信することをさらに備える、請求項２１に記載の方法。
【請求項２３】
前記少なくとも１つの候補ターゲットアクセスポイントの前記識別は前記アクセスポイントのうち、ハンドオーバ中に前記識別子によって識別される最高確率に関連するアクセスポイントを判断することを備える、請求項２１に記載の方法。
【請求項２４】
前記アクセス端末のためのマッピングが維持されているかどうかを判断することと、ここで、前記マッピングは前記識別子を、前記第１のアクセスポイントからの前のハンドオーバ中に前記アクセス端末がハンドオーバされた先のアクセスポイントにマッピングする、判断することと、
前記マッピングが維持されているかどうかの前記判断に基づいて、前記少なくとも１つの候補ターゲットアクセスポイントを識別するために、前記統計情報を使用すべきかどうかを判断することと、
をさらに備える、請求項２１に記載の方法。
【請求項２５】
前記第１のアクセスポイントにおいて、前記情報は受信され、前記統計情報は記憶される、請求項２０に記載の方法。
【請求項２６】
前記識別子は物理セル識別子を備え、
前記受信した情報は前記物理セル識別子を、前記複数のアクセスポイントに割り当てられたグローバルセル識別子に関係づける、
請求項２０に記載の方法。
【請求項２７】
第１のアクセスポイントからのハンドオーバ中に複数のアクセスポイントを識別するために共通識別子が使用されることを示す情報を受信するように構成された通信コントローラと、
前記アクセスポイントのうちの所与の１つが前記第１のアクセスポイントからのハンドオーバ中にノード識別子によって識別される確率を示す統計情報を与えるように構成された統計コントローラと、
を備える、通信のための装置。
【請求項２８】
前記通信コントローラは前記識別子をアクセス端末から受信するようにさらに構成され、前記装置は、
前記複数のアクセスポイントから、前記第１のアクセスポイントから前記アクセス端末をハンドオーバするための少なくとも１つの候補ターゲットアクセスポイントを識別するために、前記統計情報を使用するように構成されたハンドオーバコントローラをさらに備える、請求項２７に記載の装置。
【請求項２９】
前記少なくとも１つの候補ターゲットアクセスポイントの前記識別は前記アクセスポイントのうち、ハンドオーバ中に前記識別子によって識別される最高確率に関連するアクセスポイントを判断することを備える、請求項２８に記載の装置。
【請求項３０】
前記第１のアクセスポイントにおいて、前記情報は受信され、前記統計情報は記憶される、請求項２７に記載の装置。
【請求項３１】
第１のアクセスポイントからのハンドオーバ中に複数のアクセスポイントを識別するために共通識別子が使用されることを示す情報を受信するための手段と、
前記アクセスポイントのうちの所与の１つが前記第１のアクセスポイントからのハンドオーバ中にノード識別子によって識別される確率を示す統計情報を与えるための手段と、
を備える、通信のための装置。
【請求項３２】
前記識別子をアクセス端末から受信するための手段と、
前記複数のアクセスポイントから、前記第１のアクセスポイントから前記アクセス端末をハンドオーバするための少なくとも１つの候補ターゲットアクセスポイントを識別するために、前記統計情報を使用するための手段と、
をさらに備える、請求項３１に記載の装置。
【請求項３３】
前記少なくとも１つの候補ターゲットアクセスポイントの前記識別は前記アクセスポイントのうち、ハンドオーバ中に前記識別子によって識別される最高確率に関連するアクセスポイントを判断することを備える、請求項３２に記載の装置。
【請求項３４】
前記第１のアクセスポイントにおいて、前記情報は受信され、前記統計情報は記憶される、請求項３１に記載の装置。
【請求項３５】
第１のアクセスポイントからのハンドオーバ中に複数のアクセスポイントを識別するために共通識別子が使用されることを示す情報を受信することと、
前記アクセスポイントのうちの所与の１つが前記第１のアクセスポイントからのハンドオーバ中にノード識別子によって識別される確率を示す統計情報を与えることと、
をコンピュータに行わせるためのコードを備えるコンピュータ可読媒体を備える、コンピュータプログラム製品。
【請求項３６】
前記コンピュータ可読媒体は、
前記識別子をアクセス端末から受信することと、
前記複数のアクセスポイントから、前記第１のアクセスポイントから前記アクセス端末をハンドオーバするための少なくとも１つの候補ターゲットアクセスポイントを識別するために、前記統計情報を使用することと、
を前記コンピュータに行わせるためのコードをさらに備える、請求項３５に記載のコンピュータプログラム製品。
【請求項３７】
前記少なくとも１つの候補ターゲットアクセスポイントの前記識別は、前記アクセスポイントのうち、ハンドオーバ中に前記識別子によって識別される最高確率に関連するアクセスポイントを判断することを備える、請求項３６に記載のコンピュータプログラム製品。
【請求項３８】
前記第１のアクセスポイントにおいて、前記情報は受信され、前記統計情報は記憶される、請求項３５に記載のコンピュータプログラム製品。
【手続補正２】
【補正対象書類名】明細書
【補正対象項目名】０１５６
【補正方法】変更
【補正の内容】
【０１５６】
開示した態様の前述の説明は、当業者が本開示を実施または使用できるようにするために提供されるものである。これらの態様への様々な変更は当業者には容易に明らかになり、本明細書で定義された一般原理は本開示の範囲から逸脱することなく他の態様に適用できる。したがって、本開示は、本明細書で示した態様に限定されるものではなく、本明細書で開示した原理および新規の特徴に一致する最も広い範囲を与えられるべきである。
以下、本願の出願当初の特許請求の範囲に記載の発明を付記する。  
［１］  アクセス端末に関連するマッピングを判断することと、ここで、前記マッピングは第１のアクセスポイントを識別するために前記アクセス端末によって使用される第１の識別子を前記第１のアクセスポイントに割り当てられた第２の識別子に関係づける、
前記マッピングを示す情報を記憶することと、
を備える、通信の方法。
［２］  前記マッピングの前記判断は前記アクセス端末が前に前記第１のアクセスポイントにアクセスしたことを判断することを備える、［１］に記載の方法。
［３］  前記マッピングの前記判断は前記アクセス端末による前記第１の識別子の使用に関連する混同を解決するときに行われる、［１］に記載の方法。
［４］  第２のアクセスポイントは前記マッピングを判断するために前記アクセス端末からの測定報告を介して前記第１および第２の識別子を受信する、［１］に記載の方法。
［５］  第２のアクセスポイントは前記アクセス端末から前記第１の識別子を受信し、
前記第２のアクセスポイントは前記アクセス端末が無線リンク障害後に前記第１のアクセスポイントにアクセスしたことを示すメッセージを介して、前記第１のアクセスポイントから前記第２の識別子を受信する、
［１］に記載の方法。
［６］  前記第１のアクセスポイントからの前記メッセージは前記第２のアクセスポイントから前記第１のアクセスポイントに中継すべきアクセス端末コンテキスト情報の要求を備える、［５］に記載の方法。
［７］  前記アクセス端末は前に第２のアクセスポイントから前記第１のアクセスポイントにハンドオーバされたことがあり、
前記第２のアクセスポイントは前記ハンドオーバに関係するメッセージを介して前記第２の識別子を受信する、
［１］に記載の方法。
［８］  前記アクセス端末から前記第１の識別子を備える測定報告を受信することと、
前記第１の識別子に関連するアクセスポイント混同があると判断することと、
前記混同を解決するために、前記記憶された情報を使用することと、
をさらに備える、［１］に記載の方法。
［９］  第２のアクセスポイントにおいて、前記第１の識別子を備える測定報告を前記アクセス端末から受信することと、
前記アクセス端末が前記第２のアクセスポイントから前記第１のアクセスポイントにハンドオーバされるべきであると判断するために、前記記憶された情報を使用することと、
前記第１のアクセスポイントを前記アクセス端末のハンドオーバのために準備するためのメッセージを送信することと、
をさらに備える、［１］に記載の方法。
［１０］  前記アクセス端末に関連する別のマッピングを判断することと、ここで、前記別のマッピングは前記第１の識別子を、少なくとも１つの他のアクセスポイントに割り当てられた少なくとも１つの他の識別子に関係づけ、前記記憶された情報は前記別の関係を示す、
前記記憶された情報に基づいて、前記第１のアクセスポイントと前記少なくとも１つの他のアクセスポイントとを前記アクセス端末のハンドオーバのための候補ターゲットアクセスポイントとして識別することと、
前記第１のアクセスポイントと前記少なくとも１つの他のアクセスポイントとを前記アクセス端末のハンドオーバのために準備するためのメッセージを送信することと、
をさらに備える、［１］に記載の方法。
［１１］  前記第１の識別子はパイロット擬似雑音オフセットまたは物理セル識別子を備える、［１］に記載の方法。
［１２］  前記第１の識別子は物理セル識別子を備え、
前記第２の識別子はグローバルセル識別子を備える、
［１］に記載の方法。
［１３］  前記第１のアクセスポイントはフェムトアクセスポイントを備え、
前記マッピングの前記判断は前記アクセス端末のためのサービングマクロアクセスポイントにおいて実行され、
前記情報は前記マクロアクセスポイントにおいて記憶される、
［１］に記載の方法。
［１４］  アクセス端末に関連するマッピングを判断するように構成されたマッピングコントローラと、ここで前記マッピングは第１のアクセスポイントを識別するために前記アクセス端末によって使用される第１の識別子を前記第１のアクセスポイントに割り当てられた第２の識別子に関係づける、
前記マッピングを示す情報を記憶するように構成されたメモリデバイスと、
を備える、通信のための装置。
［１５］  前記マッピングの前記判断は前記アクセス端末が前に前記第１のアクセスポイントにアクセスしたことを判断することを備える、［１４］に記載の装置。
［１６］  前記マッピングの前記判断は前記アクセス端末による前記第１の識別子の使用に関連する混同を解決するときに行われる、［１４］に記載の装置。
［１７］  前記アクセス端末から前記第１の識別子を備える測定報告を受信するように構成された通信コントローラと、
前記第１の識別子に関連するアクセスポイント混同があると判断するように構成され、前記混同を解決するために、前記記憶された情報を使用するようにさらに構成されたハンドオーバコントローラと、
をさらに備える、［１４］に記載の装置。
［１８］  前記第１のアクセスポイントはフェムトアクセスポイントを備え、
前記マッピングの前記判断は前記アクセス端末のためのサービングマクロアクセスポイントにおいて実行され、
前記情報は前記マクロアクセスポイントにおいて記憶される、
［１４］に記載の装置。
［１９］  アクセス端末に関連するマッピングを判断するための手段と、ここで、前記マッピングは第１のアクセスポイントを識別するために前記アクセス端末によって使用される第１の識別子を、前記第１のアクセスポイントに割り当てられた第２の識別子に関係づける、
前記マッピングを示す情報を記憶するための手段と、
を備える、通信のための装置。
［２０］  前記マッピングの前記判断は前記アクセス端末が前に前記第１のアクセスポイントにアクセスしたことを判断することを備える、［１９］に記載の装置。
［２１］  前記マッピングの前記判断は前記アクセス端末による前記第１の識別子の使用に関連する混同を解決するときに行われる、［１９］に記載の装置。
［２２］  前記アクセス端末から前記第１の識別子を備える測定報告を受信するための手段と、
前記第１の識別子に関連するアクセスポイント混同があると判断するための手段と、
前記混同を解決するために、前記記憶された情報を使用するための手段と、
をさらに備える、［１９］に記載の装置。
［２３］  前記第１のアクセスポイントがフェムトアクセスポイントを備え、
前記マッピングの前記判断は前記アクセス端末のためのサービングマクロアクセスポイントにおいて実行され、
前記情報は前記マクロアクセスポイントにおいて記憶される、
［１９］に記載の装置。
［２４］  アクセス端末に関連するマッピングを判断することと、ここで、前記マッピングは第１のアクセスポイントを識別するために前記アクセス端末によって使用される第１の識別子を、前記第１のアクセスポイントに割り当てられた第２の識別子に関係づける、
前記マッピングを示す情報を記憶することと、
をコンピュータに行わせるためのコードを備えるコンピュータ可読媒体を備える、コンピュータプログラム製品。
［２５］  前記マッピングの前記判断は前記アクセス端末が前に前記第１のアクセスポイントにアクセスしたことを判断することを備える、［２４］に記載のコンピュータプログラム製品。
［２６］  前記マッピングの前記判断は前記アクセス端末による前記第１の識別子の使用に関連する混同を解決するときに行われる、［２４］に記載のコンピュータプログラム製品。
［２７］  前記コンピュータ可読媒体は、
前記アクセス端末から前記第１の識別子を備える測定報告を受信することと、
前記第１の識別子に関連するアクセスポイント混同があると判断することと、
前記混同を解決するために、前記記憶された情報を使用することと、
を前記コンピュータに行わせるためのコードをさらに備える、［２４］に記載のコンピュータプログラム製品。
［２８］  前記第１のアクセスポイントはフェムトアクセスポイントを備え、
前記マッピングの前記判断は前記アクセス端末のためのサービングマクロアクセスポイントにおいて実行され、
前記情報は前記マクロアクセスポイントにおいて記憶される、
［２４］に記載のコンピュータプログラム製品。
［２９］  アクセス端末によって捕捉されたアクセスポイント識別子の指示を受信することと、
前記アクセスポイント識別子と、前記アクセス端末に関連するマッピングを示す記憶された情報とに基づいて、少なくとも１つのアクセスポイントを識別することと、ここで、前記マッピングは前記アクセスポイント識別子を前記少なくとも１つの他のアクセスポイントに関係づける、
前記少なくとも１つのアクセスポイントを前記アクセス端末のハンドオーバのために準備するための少なくとも１つのメッセージを前記少なくとも１つのアクセスポイントに送信することと、
を備える、通信の方法。
［３０］  前記記憶された情報は前記アクセス端末が前に前記少なくとも１つのアクセスポイントにアクセスしたことを示す、［２９］に記載の方法。
［３１］  前記アクセスポイント識別子に関連するアクセスポイント混同があると判断することと、
前記混同を解決するために、前記記憶された情報を使用することと、
をさらに備える、［２９］に記載の方法。
［３２］  前記少なくとも１つのアクセスポイントは少なくとも１つのフェムトアクセスポイントを備え、
前記アクセスポイント識別子は前記アクセス端末のためのサービングマクロアクセスポイントにおいて受信され、
前記情報は前記マクロアクセスポイントにおいて記憶される、
［２９］に記載の方法。
［３３］  前記アクセスポイント識別子の前記指示は前記アクセス端末によって送信された測定報告を介して前記マクロアクセスポイントにおいて受信される、［２９］に記載の方法。
［３４］  前記アクセスポイント識別子はパイロット擬似雑音オフセットまたは物理セル識別子を備える、［２９］に記載の方法。
［３５］  前記アクセスポイント識別子は物理セル識別子を備え、
前記記憶された情報は前記アクセスポイント識別子を少なくとも１つのグローバルセル識別子にマッピングする、
［２９］に記載の方法。
［３６］  アクセス端末によって捕捉されたアクセスポイント識別子の指示を受信するように構成された通信コントローラと、
前記アクセスポイント識別子と、前記アクセス端末に関連するマッピングを示す記憶された情報とに基づいて、少なくとも１つのアクセスポイントを識別するように構成されたハンドオーバコントローラと、ここで、前記マッピングは前記アクセスポイント識別子を前記少なくとも１つの他のアクセスポイントに関係づけ、前記ハンドオーバコントローラは前記少なくとも１つのアクセスポイントを前記アクセス端末のハンドオーバのために準備するための少なくとも１つのメッセージを前記少なくとも１つのアクセスポイントに送信するようにさらに構成されている、
を備える、通信のための装置。
［３７］  前記記憶された情報は前記アクセス端末が前に前記少なくとも１つのアクセスポイントにアクセスしたことを示す、［３６］に記載の装置。
［３８］  前記ハンドオーバコントローラは、
前記アクセスポイント識別子に関連するアクセスポイント混同があると判断することと、
前記混同を解決するために、前記記憶された情報を使用することと、
を行うようにさらに構成された、［３６］に記載の装置。
［３９］  前記少なくとも１つのアクセスポイントは少なくとも１つのフェムトアクセスポイントを備え、
前記アクセスポイント識別子は前記アクセス端末のためのサービングマクロアクセスポイントにおいて受信され、
前記情報は前記マクロアクセスポイントにおいて記憶される、
［３６］に記載の装置。
［４０］  アクセス端末によって捕捉されたアクセスポイント識別子の指示を受信するための手段と、
前記アクセスポイント識別子と、前記アクセス端末に関連するマッピングを示す記憶された情報とに基づいて、少なくとも１つのアクセスポイントを識別するための手段と、ここで、前記マッピングは前記アクセスポイント識別子を前記少なくとも１つの他のアクセスポイントに関係づけ、
前記少なくとも１つのアクセスポイントを前記アクセス端末のハンドオーバのために準備するための少なくとも１つのメッセージを前記少なくとも１つのアクセスポイントに送信するための手段と、
を備える、通信のための装置。
［４１］  前記記憶された情報は前記アクセス端末が前に前記少なくとも１つのアクセスポイントにアクセスしたことを示す、［４０］に記載の装置。
［４２］  前記アクセスポイント識別子に関連するアクセスポイント混同があると判断するための手段と、
前記混同を解決するために、前記記憶された情報を使用するための手段と、
をさらに備える、［４０］に記載の装置。
［４３］  前記少なくとも１つのアクセスポイントは少なくとも１つのフェムトアクセスポイントを備え、
前記アクセスポイント識別子は前記アクセス端末のためのサービングマクロアクセスポイントにおいて受信され、
前記情報は前記マクロアクセスポイントにおいて記憶される、
［４０］に記載の装置。
［４４］  アクセス端末によって捕捉されたアクセスポイント識別子の指示を受信することと、
前記アクセスポイント識別子と、前記アクセス端末に関連するマッピングを示す記憶された情報とに基づいて、少なくとも１つのアクセスポイントを識別することと、ここで、前記マッピングは前記アクセスポイント識別子を前記少なくとも１つの他のアクセスポイントに関係づける、
前記少なくとも１つのアクセスポイントを前記アクセス端末のハンドオーバのために準備するための少なくとも１つのメッセージを前記少なくとも１つのアクセスポイントに送信することと、
をコンピュータに行わせるためのコードを備えるコンピュータ可読媒体を備える、コンピュータプログラム製品。
［４５］  前記記憶された情報は前記アクセス端末が前に前記少なくとも１つのアクセスポイントにアクセスしたことを示す、［４４］に記載のコンピュータプログラム製品。
［４６］  前記コンピュータ可読媒体は、
前記アクセスポイント識別子に関連するアクセスポイント混同があると判断することと、
前記混同を解決するために、前記記憶された情報を使用することと、
を前記コンピュータに行わせるためのコードをさらに備える、［４４］に記載のコンピュータプログラム製品。
［４７］  前記少なくとも１つのアクセスポイントは少なくとも１つのフェムトアクセスポイントを備え、
前記アクセスポイント識別子は前記アクセス端末のためのサービングマクロアクセスポイントにおいて受信され、
前記情報は前記マクロアクセスポイントにおいて記憶される、
［４４］に記載のコンピュータプログラム製品。
［４８］  第１のアクセスポイントからのハンドオーバ中に複数のアクセスポイントを識別するために共通識別子が使用されることを示す情報を受信することと、
前記アクセスポイントのうちの所与の１つが前記第１のアクセスポイントからのハンドオーバ中にノード識別子によって識別される確率を示す統計情報を与えることと、
を備える、通信の方法。
［４９］  前記識別子をアクセス端末から受信することと、
前記複数のアクセスポイントから、前記第１のアクセスポイントから前記アクセス端末をハンドオーバするための少なくとも１つの候補ターゲットアクセスポイントを識別するために、前記統計情報を使用することと、
をさらに備える、［４８］に記載の方法。
［５０］  前記少なくとも１つの候補ターゲットアクセスポイントを前記アクセス端末のハンドオーバのために準備するための少なくとも１つのメッセージを送信することをさらに備える、［４９］に記載の方法。
［５１］  前記少なくとも１つの候補ターゲットアクセスポイントの前記識別は前記アクセスポイントのうち、ハンドオーバ中に前記識別子によって識別される最高確率に関連するアクセスポイントを判断することを備える、［４９］に記載の方法。
［５２］  前記アクセス端末のためのマッピングが維持されているかどうかを判断することと、ここで、前記マッピングは前記識別子を、前記第１のアクセスポイントからの前のハンドオーバ中に前記アクセス端末がハンドオーバされた先のアクセスポイントにマッピングする、判断することと、
前記マッピングが維持されているかどうかの前記判断に基づいて、前記少なくとも１つの候補ターゲットアクセスポイントを識別するために、前記統計情報を使用すべきかどうかを判断することと、
をさらに備える、［４９］に記載の方法。
［５３］  前記第１のアクセスポイントにおいて、前記情報は受信され、前記統計情報は記憶される、［４８］に記載の方法。
［５４］  前記識別子は物理セル識別子を備え、
前記受信した情報は前記物理セル識別子を、前記複数のアクセスポイントに割り当てられたグローバルセル識別子に関係づける、
［４８］に記載の方法。
［５５］  第１のアクセスポイントからのハンドオーバ中に複数のアクセスポイントを識別するために共通識別子が使用されることを示す情報を受信するように構成された通信コントローラと、
前記アクセスポイントのうちの所与の１つが前記第１のアクセスポイントからのハンドオーバ中にノード識別子によって識別される確率を示す統計情報を与えるように構成された統計コントローラと、
を備える、通信のための装置。
［５６］  前記通信コントローラは前記識別子をアクセス端末から受信するようにさらに構成され、前記装置は、
前記複数のアクセスポイントから、前記第１のアクセスポイントから前記アクセス端末をハンドオーバするための少なくとも１つの候補ターゲットアクセスポイントを識別するために、前記統計情報を使用するように構成されたハンドオーバコントローラをさらに備える、［５５］に記載の装置。
［５７］  前記少なくとも１つの候補ターゲットアクセスポイントの前記識別は前記アクセスポイントのうち、ハンドオーバ中に前記識別子によって識別される最高確率に関連するアクセスポイントを判断することを備える、［５６］に記載の装置。
［５８］  前記第１のアクセスポイントにおいて、前記情報は受信され、前記統計情報は記憶される、［５５］に記載の装置。
［５９］  第１のアクセスポイントからのハンドオーバ中に複数のアクセスポイントを識別するために共通識別子が使用されることを示す情報を受信するための手段と、
前記アクセスポイントのうちの所与の１つが前記第１のアクセスポイントからのハンドオーバ中にノード識別子によって識別される確率を示す統計情報を与えるための手段と、
を備える、通信のための装置。
［６０］  前記識別子をアクセス端末から受信するための手段と、
前記複数のアクセスポイントから、前記第１のアクセスポイントから前記アクセス端末をハンドオーバするための少なくとも１つの候補ターゲットアクセスポイントを識別するために、前記統計情報を使用するための手段と、
をさらに備える、［５９］に記載の装置。
［６１］  前記少なくとも１つの候補ターゲットアクセスポイントの前記識別は前記アクセスポイントのうち、ハンドオーバ中に前記識別子によって識別される最高確率に関連するアクセスポイントを判断することを備える、［６０］に記載の装置。
［６２］  前記第１のアクセスポイントにおいて、前記情報は受信され、前記統計情報は記憶される、［５９］に記載の装置。
［６３］  第１のアクセスポイントからのハンドオーバ中に複数のアクセスポイントを識別するために共通識別子が使用されることを示す情報を受信することと、
前記アクセスポイントのうちの所与の１つが前記第１のアクセスポイントからのハンドオーバ中にノード識別子によって識別される確率を示す統計情報を与えることと、
をコンピュータに行わせるためのコードを備えるコンピュータ可読媒体を備える、コンピュータプログラム製品。
［６４］  前記コンピュータ可読媒体は、
前記識別子をアクセス端末から受信することと、
前記複数のアクセスポイントから、前記第１のアクセスポイントから前記アクセス端末をハンドオーバするための少なくとも１つの候補ターゲットアクセスポイントを識別するために、前記統計情報を使用することと、
を前記コンピュータに行わせるためのコードをさらに備える、［６３］に記載のコンピュータプログラム製品。
［６５］  前記少なくとも１つの候補ターゲットアクセスポイントの前記識別は、前記アクセスポイントのうち、ハンドオーバ中に前記識別子によって識別される最高確率に関連するアクセスポイントを判断することを備える、［６４］に記載のコンピュータプログラム製品。
［６６］  前記第１のアクセスポイントにおいて、前記情報は受信され、前記統計情報は記憶される、［６３］に記載のコンピュータプログラム製品。
【外国語明細書】
2013158022000001.pdf